(57)【要約】      （修正有）【課題】屋根材の防水性を保ちつつ、屋根材の働き幅の相違や太陽電池モジュールの大きさの相違に対応可能な太陽電池モジュールの取付構造を提供する。【解決手段】屋根下地１０２上に第一列目の屋根材１０３−１及び第二列目の屋根材１０３−２を葺き、それらのハゼ部１０４−１，１０４−２に架台２の係止部を係止しつつ架台２を屋根下地１０２上に一列に固定する。そして、二つの架台２の載置面１２にロングスライドベース３の連結板２６を載置し、ボルト２９によりロングスライドベース３を架台２に固定する。そして、端部止め具４及び中間止め具５をロングスライドベース３のスライド面２２に形成されたスライド孔に固定し、その端部止め具４及び中間止め具５によって第一段目の太陽電池モジュール６−１をロングスライドベース３に固定する。【選択図】図６
2015074873.tif 000002
【特許請求の範囲】
【請求項１】
載置面及び係止部を有する架台と、止め具と、スライド孔を有するロングスライドベース及びショートスライドベースの一方または双方とによって屋根に葺かれた屋根材上に太陽電池モジュールを設置するための取付構造であって、前記架台の前記係止部を前記屋根材のハゼ部に係止しつつ前記架台を屋根下地に固定して前記架台を前記屋根材上に設置するとともに、前記スライド孔に前記止め具が固定された前記ロングスライドベースまたは前記ショートスライドベースを前記架台の前記載置面に載置して固定し、前記止め具によって前記太陽電池モジュールを前記ロングスライドベースまたは前記ショートスライドベースに固定することを特徴とする太陽電池モジュールの取付構造。
【請求項２】
前記スライド孔が、前記ロングスライドベースまたは前記ショートスライドベースの長手方向に延びる長孔であることを特徴とする請求項１記載の太陽電池モジュールの取付構造。
【請求項３】
前記止め具に形成された前記ロングスライドベースまたは前記ショートスライドベースに固定するための長孔が、前記止め具の長さ方向に延びる長孔であることを特徴とする請求項１または請求項２に記載の太陽電池モジュールの取付構造。
【請求項４】
前記ロングスライドベース及び前記ショートスライドベースが、前記架台に固定するための固定孔を有し、該固定孔が前記ロングスライドベースまたは前記ショートスライドベースの長手方向に延びる長孔であることを特徴とする請求項１ないし請求項３までのいずれか１項に記載の太陽電池モジュールの取付構造。
【請求項５】
前記ロングスライドベース及び前記ショートスライドベースのレール部の幅よりも長い長軸を有する平面視略楕円形状のフランジ部が設けられたフランジナットとネジによって、前記止め具を前記ロングスライドベースまたは前記ショートスライドベースの前記スライド孔に固定することを特徴とする請求項１ないし請求項４までのいずれか１項に記載の太陽電池モジュールの取付構造。
【請求項６】
前記スライド孔が、前記フランジナットを挿入可能な拡幅部を有することを特徴とする請求項１ないし請求項５までのいずれか１項に記載の太陽電池モジュールの取付構造。
【請求項７】
前記止め具が、前記太陽電池モジュールを前記ロングスライドベースまたは前記ショートスライドベースに固定するための係止部を有し、該係止部の裏面が弾性体で形成された保護部材で覆われていることを特徴とする請求項１ないし請求項６までのいずれか１項に記載の太陽電池モジュールの取付構造。
【発明の詳細な説明】
【技術分野】
【０００１】
本発明は、太陽電池モジュールの取付構造、詳しくは屋根への太陽電池モジュールの設置が容易な太陽電池モジュールの取付構造に関する。
【背景技術】
【０００２】
近年、地球環境に配慮したクリーンエネルギーである太陽光を利用して発電を行い、二酸化炭素（ＣＯ2 ）の排出量を減らそうとするエコの意識が世の中で高まっている。そのため、自宅の屋根の屋根材の上に太陽光で発電する太陽電池モジュールを設置し、調理、給湯、空調などのシステムをすべて電気でまかなう住宅が年々増加している。
【０００３】
そして、自宅の屋根の屋根材の上に太陽電池モジュールを設置する方法としては、特許文献１に示すように、屋根材であるスレート瓦の上に軒先取付け金具や中間取付金具を複数設置し、これらの取付金具によって支持しながら太陽電池モジュールを設置する取付け具が開示されている。
【先行技術文献】
【特許文献】
【０００４】
【特許文献１】２０１１−１６３０６０号公報
【０００５】
しかし、上記の取付け具は、屋根に設置するスレート瓦の働き幅やその上に設置する太陽電池モジュールの大きさに合わせて形成されているため、働き幅が異なる屋根材や大きさの異なる太陽電池モジュールには使用できないという不都合もあった。
【０００６】
また、従来の太陽電池モジュールの取付け具は、金属製の屋根材に取付け孔を設けてネジ等により太陽電池モジュールの取付け具を屋根材に固定し、太陽電池モジュールを設置する構造であるため、雨水により屋根材の取付け孔の周辺及びネジ等が腐食し、更には取付け孔からの雨水の浸入による雨漏りや屋根下地の腐食が生じていた。また、従来の太陽電池モジュールの取付け具は構造が複雑で部品数も多いため、太陽電池モジュールの設置に多くの時間を要していた。
【発明の概要】
【発明が解決しようとする課題】
【０００７】
そこで本発明は、上記のような従来の欠点を解消するものであって、構造が簡単であるとともに太陽電池モジュールの設置が容易で、屋根材の働き幅の長さに対応して太陽電池モジュールを設置することができるとともに、太陽電池モジュールの大きさにも対応して屋根材の上に設置でき、更には太陽電池モジュールの設置後も屋根材等の腐食や雨漏りを防止することができる取付構造を提供することを目的とする。
【課題を解決するための手段】
【０００８】
上記の目的を達成するため、本願の請求項１に係る発明は、載置面及び係止部を有する架台と、止め具と、スライド孔を有するロングスライドベース及びショートスライドベースの一方または双方とによって屋根に葺かれた屋根材上に太陽電池モジュールを設置するための取付構造であって、前記架台の前記係止部を前記屋根材のハゼ部に係止しつつ前記架台を屋根下地に固定して前記架台を前記屋根材上に設置するとともに、前記スライド孔に前記止め具が固定された前記ロングスライドベースまたは前記ショートスライドベースを前記架台の前記載置面に載置して固定し、前記止め具によって前記太陽電池モジュールを前記ロングスライドベースまたは前記ショートスライドベースに固定することを特徴とする。
【０００９】
また、本願の請求項２に係る発明は、前記スライド孔が、前記ロングスライドベースまたは前記ショートスライドベースの長手方向に延びる長孔であることを特徴とする。
【００１０】
また、本願の請求項３に係る発明は、前記止め具に形成された前記ロングスライドベースまたは前記ショートスライドベースに固定するための長孔が、前記止め具の長さ方向に延びる長孔であることを特徴とする。
【００１１】
また、本願の請求項４に係る発明は、前記ロングスライドベース及び前記ショートスライドベースが、前記架台に固定するための固定孔を有し、該固定孔が前記ロングスライドベースまたは前記ショートスライドベースの長手方向に延びる長孔であることを特徴とする。
【００１２】
また、本願の請求項５に係る発明は、前記ロングスライドベース及び前記ショートスライドベースのレール部の幅よりも長い長軸を有する平面視略楕円形状のフランジ部が設けられたフランジナットとネジによって、前記止め具を前記ロングスライドベースまたは前記ショートスライドベースの前記スライド孔に固定することを特徴とする。
【００１３】
また、本願の請求項６に係る発明は、前記スライド孔が、前記フランジナットを挿入可能な拡幅部を有することを特徴とする。
【００１４】
また、本願の請求項７に係る発明は、前記止め具が、前記太陽電池モジュールを前記ロングスライドベースまたは前記ショートスライドベースに固定するための係止部を有し、該係止部の裏面が弾性体で形成された保護部材で覆われていることを特徴とする。
【発明の効果】
【００１５】
上記より、請求項１に係る発明によれば、構造が簡単であるとともに屋根材上に連続して太陽電池モジュールを容易に設置することができるため、作業者の屋根上での作業時間を短縮でき作業者の安全を図ることができる。また、屋根材に取付け孔等を設けずに屋根に屋根材を固定しつつ葺き上げることができるため、太陽電池モジュールの設置後も雨水による屋根材の腐食を防止できるとともに雨漏りも防止することができる。
【００１６】
また、請求項２ないし請求項４に係る発明によれば、構造や使用する部材を変更することなく太陽電池モジュールの大きさに対応して屋根材上に太陽電池モジュールを設置することができるとともに、屋根材の働き幅の長さに対応して太陽電池モジュールを設置することができる。
【００１７】
また、請求項５及び請求項６に係る発明によれば、ロングスライドベースまたはショートスライドベースへの止め具の固定が容易になるため、太陽電池モジュールの設置時間が短縮でき上記と同様に作業者の安全を図ることができる。
【００１８】
また、請求項７に係る発明によれば、係止部の裏面に保護部材を設けたことで、設置する太陽電池モジュールと保護部材が密着するため、がたつくことが無く安定した太陽電池モジュールの設置が可能となる。
【図面の簡単な説明】
【００１９】
【図１】本発明の取付構造に使用する架台の斜視図である。
【図２】本発明の取付構造に使用する端部止め具の斜視図である。
【図３】本発明の取付構造に使用する中間止め具の斜視図である。
【図４】本発明の取付構造に使用する架台、端部止め具、中間止め具及びロングスライドベースの設置態様を示す斜視図である。
【図５】本発明の取付構造に使用するショートスライドベースの斜視図である。
【図６】本発明の取付構造によって太陽電池モジュールを設置した状態を示す縦断面図である。
【図７】図６に示すＩの部分拡大図である。
【図８】図６に示すIIの部分拡大図である。
【図９】図６に示すIIIの部分拡大図である。
【図１０】本発明の取付構造によって太陽電池モジュールを設置した状態を示す外観斜視図である。
【発明を実施するための形態】
【００２０】
以下、本発明を図１ないし図１０に従って詳細に説明する。尚、以下で本発明に係る実施形態を詳細に説明するが、本発明はこれに限定されるものではない。
【００２１】
本発明に係る太陽電池モジュールの取付構造（以下「取付構造」という）１は、屋根１０１の屋根下地１０２である野地板１０２ａや防水シート１０２ｂの上に葺かれた薄い金属板等で形成された屋根材１０３の上に、架台２、ロングスライドベース３、ショートスライドベース６２、端部止め具４及び中間止め具５を介して太陽電池モジュール（以下「ＰＶモジュール」という。）６を設置する構造である。
【００２２】
ＰＶモジュール６は、一般に使用されている単結晶シリコン系のＰＶモジュールや多結晶シリコン系のＰＶモジュールである。そして、このＰＶモジュール６は、縦方向の一対の短辺８及び横方向の一対の長辺９を有する平面視略長方形状であって、薄板状に形成されたものである。また、表面１０側には太陽電池セルが配置され、裏面１１側には電極ボックスが配置されるとともに、その電極ボックスから他のＰＶモジュール６と電気的に接続するための端子ケーブルが伸びている（図示せず）。
【００２３】
２は、野地板１０２ａと防水シート１０２ｂによって形成される屋根下地１０２上に葺かれた屋根材１０３に設置する架台である。この架台２は、図１に示すように、横長略長方形状の薄い金属製の平板を折り曲げて形成されている。架台２の長手方向Ａの前方Ａ１には、以下で詳述するロングスライドベース３を載置して固定するための載置面１２を有する突出部１３が上方へ向けて凸状に形成されている。また、載置面１２は平面であるとともに、その中央にはロングスライドベース３を固定するためのネジ孔１４が設けられている。
【００２４】
また、架台２の長手方向Ａの中央には屋根材１０３のハゼ部１０４に被せて係止させるための係止部１５が設けられている。この係止部１５は、上方へ向けて断面略Ｓ字状に折り曲げられているとともに、架台２の後方Ａ２にかけて下降傾斜する傾斜面１６が形成されている。また、架台２の後方Ａ２には平らな固定面１８が設けられ、その固定面１８には架台２を屋根下地１０２上に固定するためのネジ孔１９が三つ設けられている。
【００２５】
上記構造により、図６及び図８に示すように、屋根下地１０２上に設置された屋根材１０３のハゼ部１０４に架台２の係止部１５を被せて係止させながら屋根下地１０２上に架台２の固定面１８を載置し、ネジ孔１９を介してネジ２０等により架台２を屋根下地１０２上に固定することができる。
【００２６】
このように架台２を屋根下地１０２上に固定することで、屋根材１０３のハゼ部１０４及びその周辺が架台２により上から押さえつけられるため、屋根材１０３も屋根下地１０２上に固定することが可能となる。そのため、屋根材１０３の腐食の原因となるネジ孔等を設けずに屋根材１０３を屋根下地１０２上に葺き上げることができる。
【００２７】
また、架台２の係止部１５は、図６及び図８に示すように、その架台２を設置した屋根材１０３の上段に設置する屋根材１０３の係止部１０５が被せられるとともに、その係止部１０５と係止する。そのため、屋根材１０３を普段の場合と同様に葺き上げることが可能であり、ＰＶモジュール６の設置後も屋根１０１の防水性を保つことができる。
【００２８】
３は、屋根材１０３に設置された架台２の載置面１２に載置し固定するためのロングスライドベースである。このロングスライドベース３は、全長が約４６０ｍｍ、幅が７０ｍｍ程度であり、図４に示すように、薄い金属製の平板を折り曲げて形成されている。また、ロングスライドベース３には、左右に断面略コの字状の細長いレール部２１が平行に設けられている。
【００２９】
また、左右のレール部２１の上面には平らなスライド面２２が設けられ、そのスライド面２２には二つのスライド孔２３ａ，２３ｂが形成されている。これらのスライド孔２３ａ，２３ｂは、以下で詳述するＰＶモジュール６を支持し固定する端部止め具４や中間止め具５を固定するとともに、端部止め具４や中間止め具５がレール部２１のスライド面２２上を長手方向Ｂにスライド可能とするための孔である。
【００３０】
また、端部止め具４や中間止め具５がレール部２１のスライド面２２上のほぼ全域に亘って移動可能とすべく、幅が狭くて細長いスライド孔２３ａ，２３ｂが左右のレール部２１のスライド面２２の長手方向Ｂ（ロングスライドベース３の長手方向Ｂ）に延び、そのスライド面２２のほぼ全長に亘って形成されている。具体的には、スライド孔２３ａはスライド面２２の前方Ｂ１の端部付近から真ん中付近にかけて形成され、スライド孔２３ｂはスライド面２２の後方Ｂ２の端部付近から真ん中付近にかけて形成されている。
【００３１】
また、スライド孔２３ａ，２３ｂは、幅の広い略正方形状の拡幅部２４を有するため、全体の形状がかなづち状であり、スライド孔２３ａでは拡幅部２４がスライド面２２の前方Ｂ１の端部付近に、スライド孔２３ｂでは拡幅部２４がスライド面２２の後方Ｂ２の端部付近に形成されている。
【００３２】
上記構造により、端部止め具４や中間止め具５の固定する位置を、ロングスライドベース３のレール部２１のスライド面２２上で長手方向Ｂに変更可能であるため、ＰＶモジュール６の大きさに対応させながらＰＶモジュール６をロングスライドベース３に固定することができる。
【００３３】
また、スライド孔２３ａ，２３ｂを拡幅部２４を有するかなづち状としたことで、以下で詳述するようにロングスライドベース３への端部止め具４及び中間止め具５の固定が容易になり、作業者の屋根上での作業時間を短縮できるため作業者の安全を図ることができる。
【００３４】
尚、本実施形態に係る取付構造１で使用するロングスライドベース３のスライド孔２３ａ，２３ｂの拡幅部２４は略正方形状であるが、ある一定の幅があれば円形状や多角形状であってもよい。また、拡幅部２４の位置は、スライド面２２の前方Ｂ１の端部付近や後方Ｂ２の端部付近に形成されているが、それ以外の場所に形成されていてもよい。
【００３５】
但し、以下で詳述するロングスライドベース３への端部止め具４及び中間止め具５の固定作業を容易にするため、左右のレール部２１のスライド面２２に形成されたスライド孔２３ａのそれぞれの拡幅部２４の位置、及びスライド孔２３ｂのそれぞれの拡幅部２４の位置は揃えることが望ましい。
【００３６】
また、スライド孔２３ａ，２３ｂはスライド面２２の中央でつながり、一つのスライド孔として形成されていてもよい。
【００３７】
ロングスライドベース３の左右のレール部２１の前方Ｂ１の先端部には、屋根材１０３の係止部１０５に被せて係止させるための返し部２５が設けられている。この返し部２５は、レール部２１のスライド面２２の先端部から垂下するとともに後方Ｂ２へ向けて水平に折り曲げられ側面視略Ｌ字状に形成されている。
【００３８】
また、左右のレール部２１，２１の間には、お互いのレール部２１を連結する連結板２６が設けられている。この連結板２６は平らであり、その中央やや前方Ｂ１寄りの位置及び後方Ｂ１の端部付近の位置にそれぞれ横長略楕円形状の固定孔２８が形成されている。この固定孔２８は連結板２６の長手方向Ｂに延びるように形成されているため、ロングスライドベース３の架台２への固定が可能となっている。
【００３９】
具体的には、図４に示すように、二つの架台２を一列に並べ、突出部１３の載置面１２にロングスライドベース３の連結板２６を載置し、連結板２６の固定孔２８から架台２の突出部１３のネジ孔１４が見えるようにロングスライドベース３の位置を調整する。そして、ロングスライドベース３の固定孔２８に座金３０を介してボルト２９を挿通し、架台２のネジ孔１４に螺合することで、架台２にロングスライドベース３を固定することができる。
【００４０】
また、固定孔２８はロングスライドベース３の長手方向Ｂに延びるように形成されているため、架台２の位置の変化に対応可能となっている。つまり、図６に示すように、第一段目（最も軒側）のＰＶモジュール６−１を設置する第一段目（最も軒側）の屋根材１０３−１の係止部１０５−１とその屋根材１０３−１のハゼ部１０４−１に設置した架台２との間隔、及び第一段目の屋根材１０３−１のハゼ部１０４−１に設置した架台２と第二段目（第一段目の上段）の屋根材１０３−２のハゼ部１０４−２に設置した架台２との間隔は、屋根材１０３の働き幅の長さによって変化するが、本発明に係る取付構造１によれば、その変化に対応して架台２にロングスライドベース３を固定することができ、ひいてはＰＶモジュール６の設置が可能となる。
【００４１】
４は、略長方形状の薄い金属製の平板を折り曲げて形成された端部止め具であって、一番軒側または一番棟側に設置されたロングスライドベース３またはショートスライドベース６２にＰＶモジュール６を固定するための部材である。そしてその端部止め具４は、図２に示すように、階段状に折り曲げられており、第一垂直面部３１、第一平面部３２、第二垂直面部３３、第二平面部３４を有する。また、折り曲げの角度は、全ての角度が９０度になるように形成されている。
【００４２】
また、第一平面部３２には、端部止め具４の長さ方向Ｃ２に延びる横長略楕円形状の長孔３５が形成されている。この長孔３５は、ＰＶモジュール６を支持する端部止め具４をロングスライドベース３またはショートスライドベース６２に固定するとともに、端部止め具４がロングスライドベース３のスライド面２２上またはショートスライドベース６２のスライド面６４上を長手方向Ｂ，ｂにスライド可能とするための孔である。そのため、ロングスライドベース３に形成された二つのスライド孔２３ａ（２３ｂ）の間隔及び以下に詳述するショートスライドベース６２に形成された二つのスライド孔６５ａ（６５ｂ）の間隔と同じ間隔を端部止め具４の幅方向Ｃ１に空けて二つの長孔３５が第一平面部３２の両端付近に形成されている。
【００４３】
よって、ＰＶモジュール６の短辺８の長さに対応させながら端部止め具４をロングスライドベース３またはショートスライドベース６２に固定することができるため、大きさの異なる多くの種類のＰＶモジュール６を屋根材１０３上に設置することができる。
【００４４】
ここで、端部止め具４のロングスライドベース３への具体的な固定方法を説明すると、図４に示すように、まず事前に端部止め具４の二つの長孔３５に座金３９を介してネジ３６を挿通し、そのネジ３６に楕円形状のフランジ部３８ａを有するフランジナット３８を緩く螺合させておく。
【００４５】
このように緩く螺合させた状態とするのは、端部止め具４の第一平面部３２の裏面４０とフランジナット３８のフランジ部３８ａとの間隔を広くしておくことで、以下に詳述するロングスライドベース３のスライド孔２３ａ，２３ｂにフランジナット３８をくぐらせる作業を容易にするためである。
【００４６】
次に、ロングスライドベース３のスライド面２２の前方Ｂ１側に形成されたスライド孔２３ａに端部止め具４に連結されたフランジナット３８をくぐらせる作業を行う。まず、端部止め具４の第一垂直面部３１をロングスライドベース３の返し部２５と同じ側に向けて平行にしつつ、ロングスライドベース３の前方Ｂ１の端部付近のスライド面２２と端部止め具４の第一平面部３２の裏面４０とを対峙させる。
【００４７】
そして、端部止め具４の第一平面部３２とフランジナット３８のフランジ部３８ａの間隔をできるだけ広く保ち、左右のスライド面２２のスライド孔２３ａの拡幅部２４にフランジナット３８を同時にくぐらせる。
【００４８】
このとき、略正方形状の拡幅部２４の一辺は、フランジナット３８のフランジ部３８ａの短軸の長さよりも長いが長軸の長さよりも短く設定されている。そのため、まずフランジ部３８ａの長軸をロングスライドベース３のレール部２１の長手方向Ｂに向け、次に拡幅部２４に対してフランジ部３８ａを傾斜させてフランジ部３８ａの長軸方向の端部から拡幅部２４に挿入する。そして、ネジ３６をネジ孔２３ａの後方Ｂ２へスライドさせることで、フランジ部３８ａ（フランジナット３８）を拡幅部２４に完全にくぐらせることができる。
【００４９】
フランジナット３８をくぐらせた後は、端部止め具４がロングスライドベース３のスライド面２２上をスライド可能な状態となる。具体的には、端部止め具４の第一垂直面部３１がロングスライドベース３の返し部２５と当接した状態から、端部止め具４の長孔３５の第二垂直面部３３側の端部とロングスライドベース３のスライド孔２３ａの前方Ｂ１の端部とによってネジ３６が挟まれる状態となるまで、端部止め具４をスライドさせることができる。
【００５０】
そして、端部止め具４をロングスライドベース３のスライド面２２上の所望の位置まで移動させ、ネジ３６をきつく締めて端部止め具４の第一平面部３２とフランジナット３８のフランジ部３８ａでスライド面２２をしっかりと挟み込むことで、ロングスライドベース３に端部止め具４を固定する。
【００５１】
尚、フランジナット３８に螺合したネジ３６をきつく締めるときに、ネジ３６を回すとフランジナット３８も同じ方向に回転しようとするが、フランジナット３８のフランジ部３８ａの長軸の長さがロングスライドベース３のレール部２１の幅Ｗよりも長いため、フランジナット３８の回転がレール部２１の側面部４１によって遮られる。そのため、ネジ３６を回すだけでネジ３６をきつく締めることが可能となっている。
【００５２】
また、スライド孔２３ａの拡幅部２４の位置でネジ３６をきつく締める場合であっても、端部止め具４の第一平面部３２とフランジナット３８のフランジ部３８ａとの間に、略正方形状の拡幅部２４の周辺のスライド面２２をもぐり込ませて挟むことが可能であるため、問題なくロングスライドベース３に端部止め具４を固定することができる。
【００５３】
上記のように、フランジ部３８ａを有するフランジナット３８をスライド孔２３ａに挿入することができるとともに、ネジ３６を回すだけでネジ３６をきつく締めることができる構造であるため、ロングスライドベース３への端部止め具４の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００５４】
また、上記のようにロングスライドベース３に端部止め具４を固定することで、図６及び図７に示すように、レール部２１のスライド面２２と、端部止め具４の第二垂直面部３３及び第二平面部３４により形成される係止部４２とによって、ＰＶモジュール６の長辺９の縁部９ａを挿入するための係止溝４３が形成される。
【００５５】
また、図２に示すように、第二垂直面部３３と第二平面部３４により形成される係止部４２の裏面４４には、そのほぼ全面を覆うようにゴム等の弾性体で形成された保護部材４５が設けられている。そのため、ＰＶモジュール６を傷つけることなく支持するとともにロングスライドベース３に設置し固定することができる。また、保護部材４５は弾性を有するため、ＰＶモジュール６の長辺９の縁部９ａを係止溝４３の奥まで挿入した場合には、保護部材４５がＰＶモジュール６の長辺９の縁部９ａと当接し変形して密着するため、がたつくことが無く安定した固定が可能となる。
【００５６】
尚、端部止め具４の強度を保つため、第二平面部３４から第二垂直面部３３及び第一平面部３２を通って第一垂直面部３１へ延びる突出部４６が設けられている。この突出部４６は、断面略半楕円形状であって上方へ向けて突出し、二本の長孔３５内側に設けられている。
【００５７】
５は略長方形状の薄い金属製の平板を折り曲げて作成された中間止め具であって、屋根材１０３上に設置されたロングスライドベース３またはショートスライドベース６２にＰＶモジュール６を固定するための部材である。
【００５８】
そしてその中間止め具５は、図３に示すように、真ん中が窪んだ形に折り曲げられている。具体的には、第一平面部４８の両端には第一平面部４８に対して垂直に延びる垂直面部４９がそれぞれ設けられ、その両垂直面部４９，４９の上端から第一平面部４８に対して水平に外側に向けて延びる第二平面部５０がそれぞれ設けられており、左右対称に形成されている。また、全ての角部の角度が９０度になるように形成されている。
【００５９】
また、第一平面部４８には、中間止め具５の長さ方向Ｄ２に延びる横長略楕円形状の長孔５１が形成されている。この長孔５１は、ＰＶモジュール６を支持する中間止め具５をロングスライドベース３またはショートスライドベース６２に固定するとともに、中間止め具５がロングスライドベース３のスライド面２２またはショートスライドベース６２のスライド面６４上を長手方向Ｂ，ｂにスライド可能とするための孔である。そのため、ロングスライドベース３に形成された二つのスライド孔２３ａ（２３ｂ）の間隔及び以下に詳述するショートスライドベース６２に形成された二つのスライド孔６５ａ（６５ｂ）の間隔と同じ間隔を中間止め具５の幅方向Ｄ１に空けて二つの長孔３５が第一平面部４８の両端付近に形成されている。
【００６０】
よって、ＰＶモジュール６の短辺８の長さに対応させながら中間止め具５をロングスライドベース３またはショートスライドベース６２に固定することができるため、大きさの異なる多くの種類のＰＶモジュール６を屋根材１０３上に設置することができる。
【００６１】
ここで、中間止め具５のロングスライドベース３への具体的な固定方法を説明すると、端部止め具４の場合と同様に、まず事前に中間止め具５の二つの長孔５１に座金３９を介してネジ３６を挿通し、そのネジ３６に楕円形状のフランジ部３８ａを有するフランジナット３８を緩く螺合させておく。
【００６２】
次に、ロングスライドベース３のスライド面２２の後方Ｂ２側に形成されたスライド孔２３ｂに、中間止め具５に連結されたフランジナット３８をくぐらせる作業を行う。まず、ロングスライドベース３の後方Ｂ２の端部付近のスライド面２２と中間止め具５の第一平面部４８の裏面５２とを対峙させつつ、中間止め具５の長さ方向Ｄ２をロングスライドベース３の長手方向Ｂと同じ方向に向ける。
【００６３】
そして、中間止め具５の第一平面部４８とフランジナット３８のフランジ部３８ａの間隔をできるだけ広く保ち、左右のスライド面２２スライド孔２３ｂの拡幅部２４にフランジナット３８を同時にくぐらせる。
【００６４】
このとき、上記端部止め具４をロングスライドベース３に固定する場合と同様に、フランジ部３８ａの長軸をロングスライドベース３のレール部２１の長手方向Ｂに向け、拡幅部２４に対してフランジ部３８ａを傾斜させてフランジ部３８ａの長軸方向の端部から拡幅部２４に挿入する。そして、ネジ３６をネジ孔２３ｂの前方Ｂ１へスライドさせることで、フランジ部３８ａ（フランジナット３８）を拡幅部２４に完全にくぐらせることができる。
【００６５】
フランジナット３８をくぐらせた後は、中間止め具５がロングスライドベース３のスライド面２２上をスライド可能な状態となる。具体的には、スライド面２２の後方Ｂ２の端部付近から中央付近まで中間止め具５をスライドさせることができる。
【００６６】
そして、中間止め具５をロングスライドベース３のスライド面２２上の所望の位置まで移動させ、ネジ３６をきつく締めて中間止め具５の第一平面部４８とフランジナット３８のフランジ部３８ａでスライド面２２をしっかりと挟み込むことで、ロングスライドベース３に中間止め具５を固定する。
【００６７】
尚、フランジナット３８に螺合したネジ３６をきつく締めるときに、ネジ３６を回すだけでネジ３６をきつく締めることができる点、及びスライド孔２３ｂの拡幅部２４の位置であってもロングスライドベース３に中間止め具５を固定することができる点は、上記端部止め具４をロングスライドベース３に固定する場合と同様である。
【００６８】
上記のように、フランジ部３８ａを有するフランジナット３８をスライド孔２３ｂに挿入することができるとともに、ネジ３６を回すだけでネジ３６をきつく締めることができる構造であるため、ロングスライドベース３への中間止め具５の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００６９】
また、上記のようにロングスライドベース３に中間止め具５を固定することで、図６及び図９に示すように、レール部２１のスライド面２２と、中間止め具５の垂直面部４９及び第二平面部５０により形成される係止部５３とによって、ＰＶモジュール６の長辺９の縁部９ａを挿入するための二つの係止溝５４ａ，５４ｂが形成される。
【００７０】
また、図３に示すように、垂直面部４９と第二平面部５０により形成される二つの係止部５３の裏面５５には、端部止め具４の場合と同様に、そのほぼ全面を覆うようにゴム等の弾性体で形成された保護部材５６が設けられている。そのため、ＰＶモジュール６を傷つけることなく支持するとともにロングスライドベース３に設置し固定することができる。また、保護部材５６は弾性を有するため、ＰＶモジュール６の長辺９の縁部９ａを係止溝５４ａ，５４ｂの奥まで挿入した場合には、保護部材５６がＰＶモジュール６の長辺９の縁部９ａと当接し変形して密着するため、がたつくことが無く安定した固定が可能となる。
【００７１】
尚、中間止め具５の強度を保つため、一方の第二平面部５０から垂直面部４９、第一平面部４８及び垂直面部４９を通って他方の第二平面部５０へ延びる突出部５８が設けられている。この突出部５８は、断面略半楕円形状であって上方へ向けて突出し、二本の長孔５１の内側に設けられている。
【００７２】
６２はショートスライドベース６２であり、上記のロングスライドベース３と同様に、屋根材１０３に設置された架台２の載置面１２に載置し固定するための部材である。このショートスライドベース６２は、上記のロングスライドベース３と基本的な形状はほぼ同様である。
【００７３】
具体的には、図５に示すように、ショートスライドベース６２も薄い金属製の平板を折り曲げて形成されており、左右に断面略コの字状の細長いレール部６３が平行に設けられている。このショートスライドベース６２は、全長が約２４０ｍｍ程度であり、ロングスライドベース３の約半分の長さである。また、幅は７０ｍｍ程度であり、ロングスライドベース３と同じである。
【００７４】
また、左右のレール部６３の上面には平らなスライド面６４が設けられ、そのスライド面６４には二つのスライド孔６５ａ，６５ｂが形成されている。これらのスライド孔６５ａ，６５ｂは、ＰＶモジュール６を支持する端部止め具４や中間止め具５を固定するとともに、端部止め具４や中間止め具５がレール部６３のスライド面６４上を長手方向ｂにスライド可能とするための孔である。そして、スライド孔６５ａまたはスライド孔６５ｂのどちらかを使用することによって、端部止め具４や中間止め具５をショートスライドベース６２に固定する。
【００７５】
また、端部止め具４や中間止め具５が、レール部６３のスライド面６４上を移動可能とすべく、幅が狭くて細長いスライド孔６５ａ，６５ｂが左右のレール部６３のスライド面６４の長手方向ｂ（ショートスライドベース６２の長手方向ｂ）に延びるように形成されている。具体的には、スライド孔６５ａはスライド面６４のほぼ中央付近に形成され、スライド孔６５ｂはスライド面６４の中央からやや後方ｂ２寄りの位置に形成されており、これら二つのスライド孔６５ａ，６５ｂは近接して形成されている。
【００７６】
また、スライド孔６５ａ，６５ｂは、幅の広い略正方形状の拡幅部６６を有するため、全体の形状がかなづち状であり、スライド孔６５ａではその拡径部６６がスライド孔６５ａの前方ｂ１の端部に、スライド孔６５ｂでは拡径部６６がスライド孔６５ｂの後方ｂ２の端部に形成されている。
【００７７】
上記構造により、端部止め具４や中間止め具５の固定する位置を、ショートスライドベース６２のレール部６３のスライド面６４上で長手方向ｂに変更可能であるため、ＰＶモジュール６の大きさに対応させながらＰＶモジュール６をショートスライドベース６２に固定することができる。
【００７８】
また、スライド孔６５ａ，６５ｂを拡幅部６６を有するかなづち状としたことで、以下で詳述するようにショートスライドベース６２への端部止め具４や中間止め具５の固定が容易になり、作業者の屋根上での作業時間を短縮できるため、作業者の安全を図ることができる。
【００７９】
尚、本実施形態に係る取付構造１で使用するショートスライドベース６２のスライド孔６５ａ，６５ｂの拡幅部６６は略正方形状であるが、ある一定の幅があれば円形や多角形であってもよい。また、拡幅部６６の位置は、スライド孔６５の前方ｂ１の端部や後方ｂ２の端部に形成されているが、それ以外の場所に形成されていてもよい。
【００８０】
但し、上記のロングスライドベース３の場合と同様に、ショートスライドベース６２への端部止め具４や中間止め具５の固定を容易にするため、左右のレール部６３のスライド面６４に形成されたスライド孔６５ａのそれぞれの拡幅部６６の位置、及びスライド孔６５ｂのそれぞれの拡幅部６６の位置は揃えることが望ましい。
【００８１】
また、スライド孔６５ａ，６５ｂはスライド面６４の中央付近でつながり、一つのスライド孔として形成されていてもよい。また、ロングスライドベース３のように、端部止め具４や中間止め具５がレール部６３のスライド面６４上の全域に亘って移動可能とすべく、スライド面６４のほぼ全長に亘って延びるスライド孔６５ａ，６５ｂが形成されていてもよい。
【００８２】
ショートスライドベース６２の左右のレール部６３の前方ｂ１の先端部には、屋根材１０３の係止部１０５に被せて係止させるための返し部６８が設けられている。この返し部６８は、レール部６３のスライド面６４の先端部から垂下するとともに後方ｂ２へ向けて水平に折り曲げられ側面視略Ｌ字状に形成されている。
【００８３】
また、左右のレール部６３，６３の間には、お互いのレール部６３を連結する連結板６９が設けられている。この連結板６９は平らであり、その後方ｂ２の端部付近に横長略楕円形状の固定孔７０が形成されている。この固定孔７０は連結板６９の長手方向ｂに伸びるように形成されているため、ショートスライドベース６２の架台２への固定が可能となっている。
【００８４】
具体的には、図６に示すように、架台２の突出部１３の載置面１２にショートスライドベース６２の連結板６９を載置し、連結板６９の固定孔７０から架台２の突出部１３のネジ孔１４が見えるようにショートスライドベース６２の位置を調整する。そして、ショートスライドベース６２の固定孔７０に座金３０を介してボルト２９を挿通し、架台２のネジ孔１４に螺合することで、架台２にショートライドベース６２を固定することができる。
【００８５】
また、固定孔７０はショートスライドベース６２の長手方向ｂに延びるように形成されているため、架台２の位置の変化に対応可能となっている。つまり、図６に示すように、第二段目（第一段目の上段）のＰＶモジュール６−２を設置する第四段目の屋根材１０３−４の係止部１０５−４とその屋根材１０３−４のハゼ部１０４−４に設置した架台２との間隔は、屋根材１０３の働き幅の長さによって変化するが、本発明に係る取付構造１によれば、その変化に対応してショートスライドベース６２を架台２に固定することができ、ひいてはＰＶモジュール６の設置が可能となる。
【００８６】
尚、上記のようにショートスライドベース６２の各構成要素ついては、ロングスライドベース３の各構成要素とほぼ同じであるため、端部止め具４や中間止め具５のショートスライドべース６２への固定方法も、上記の端部止め具４や中間止め具５のロングスライドベース３への固定方法とほぼ同様である。
【００８７】
ここでは、中間止め具５のショートスライドベース６２への具体的な固定方法を説明すると、まず事前に中間止め具５の二つの長孔５１に座金３９を介してネジ３６を挿通し、そのネジ３６に楕円形のフランジ部３８ａを有するフランジナット３８を緩く螺合させておく。
【００８８】
次に、ショートスライドベース６２のスライド面６４の後方ｂ２側に形成されたスライド孔６５ｂに、中間止め具５に連結されたフランジナット３８をくぐらせる作業を行う。まず、ショートスライドベース６２の後方ｂ２の端部付近のスライド面６４と中間止め具５の第一平面部４８の裏面５２とを対峙させつつ、中間止め具５の長さ方向Ｄ２をショートスライドベース６２の長手方向ｂと同じ方向に向ける。
【００８９】
そして、中間止め具５の第一平面部４８とフランジナット３８のフランジ部３８ａの間隔をできるだけ広く保ち、左右のスライド面６４スライド孔６５ｂの拡幅部６６にフランジナット３８を同時にくぐらせる。
【００９０】
このとき、略正方形状の拡幅部６６の一辺は、フランジナット３８のフランジ部３８ａの短軸の長さよりも長いが長軸の長さよりも短く設定されている。そのため、上記端部止め具４をロングスライドベース３に固定する場合と同様に、フランジ部３８ａの長軸をショートスライドベース６２のレール部６３の長手方向ｂに向け、拡幅部６６に対してフランジ部３８ａを傾斜させてフランジ部３８ａの長軸方向の端部から拡幅部６６に挿入する。そして、ネジ３６をネジ孔６５ｂの前方ｂ１へスライドさせることで、フランジ部３８ａ（フランジナット３８）を拡幅部６６に完全にくぐらせることができる。
【００９１】
フランジナット３８をくぐらせた後は、中間止め具５がショートスライドベース６２のスライド面６４上をスライド可能な状態となる。具体的には、スライド面６４の後方ｂ２の端部付近から中央付近まで中間止め具５をスライドさせることができる。
【００９２】
そして、中間止め具５をショートスライドベース６２のスライド面６４の所望の位置まで移動させ、ネジ３６をきつく締めて中間止め具５の第一平面部４８とフランジナット３８のフランジ部３８ａでスライド面６４をしっかりと挟み込むことで、ショートスライドベース６２に中間止め具５を固定する。
【００９３】
尚、フランジナット３８に螺合したネジ３６をきつく締めるときに、ネジ３６を回すとフランジナット３８も同じ方向に回転しようとするが、フランジナット３８のフランジ部３８ａの長軸の長さがショートスライドベース６２のレール部６３の幅ｗよりも長いため、フランジナット３８の回転がレール部６３の側面部７２によって遮られる。そのため、ネジ３６を回すだけでネジ３６をきつく締めることが可能となっている。
【００９４】
また、スライド孔６５ｂの拡幅部６６の位置でネジ３６をきつく締める場合であっても、中間止め具５の第一平面部４８とフランジナット３８のフランジ部３８ａとの間に、略正方形状の拡幅部６６の周辺のスライド面６４をもぐり込ませて挟むことが可能であるため、問題なくショートスライドベース６２に中間止め具５を固定することができる。
【００９５】
上記のように、フランジ部３８ａを有するフランジナット３８をスライド孔６５ｂに挿入することができるとともに、ネジ３６を回すだけでネジ３６をきつく締めることができる構造であるため、ショートスライドベース６２への中間止め具５の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００９６】
また、上記のようにショートスライドベース６２に中間止め具５を固定することで、図６に示すように、レール部６３のスライド面６４と、中間止め具５の垂直面部４９及び第二平面部５０により形成される係止部５３とによって、ＰＶモジュール６の長辺９の縁部９ａを挿入するための係止溝７１ａ，７１ｂが形成される。
【００９７】
次に、本発明に係る取付構造１の施工手順について、図４、図６ないし図１０に基づいて説明する。まず、ロングスライドベース３を用いて屋根材１０３上に第一段目（最も軒側）のＰＶモジュール６−１を設置する。その設置は、第一段目（ＰＶモジュール６を設置する最も軒側）の屋根材１０３−１及び第二段目（第一段目の上段）の屋根材１０３−２の設置と同時に行う。
【００９８】
まず、第一段目の屋根材１０３−１を屋根１０１の桁行方向Ｅに葺く。その後、図６及び図８に示すように、第一段目のＰＶモジュール６−１を設置する屋根材１０３−１のハゼ部１０４−１に架台２の係止部１５を被せて係止させながら架台２を設置する。そして、ネジ孔１９を介してネジ２０により架台２を屋根下地１０２上に固定する。このようにして、図１０に示すように、屋根１０１の桁行方向Ｅに複数の架台２を設置する。
【００９９】
次に、第一段目の屋根材１０３−１の上段に第二段目の屋根材１０３ー２を屋根１０１の桁行方向Ｅに葺く。このとき、第一段目の屋根材１０３−１のハゼ部１０４−１に設置した架台２の係止部１５は、図６及び図８に示すように、第二段目の屋根材１０３−２の係止部１０５ー２が被せられるとともにに、その係止部１０５−２と係止する。
【０１００】
そして、第二段目の屋根材１０３−２のハゼ部１０４−２にも架台２の係止部１５を被せて係止させながら複数の架台２を設置する。このとき、第二段目の屋根材１０３−２のハゼ部１０４−２に設置する架台２が、第一段目の屋根材１０３−１のハゼ部１０４−１に設置した架台２と屋根１０１の軒棟方向（傾斜方向）Ｆになるべく一列に並ぶように設置し、ネジ孔１９を介してネジ２０により架台２を屋根下地１０２上に固定する。
【０１０１】
次に、ロングスライドベース３を架台２に固定する。具体的には、図４及び図６に示すように、軒棟方向Ｆに一列に並んだ二つの架台２の突出部１３の載置面１２上にロングスライドベース３の連結板２６を載置し、架台２の突出部１３のネジ孔１４とロングスライドベース３の固定孔２８の位置を合わせ、座金３０を介して固定孔２８にボルト２９を挿通し、ボルト２９をネジ孔１４に螺合することで固定する。このとき、図６及び図７に示すように、第一段目の屋根材１０３−１の係止部１０５−１に、ロングスライドベース３の返し部２５を被せて係止させながら載置する。
【０１０２】
そして、上記のように端部止め具４の二つの長孔３５に座金３９を介してネジ３６を挿通し、そのネジ３６にフランジナット３８を緩く螺合した端部止め具４を、設置したロングスライドベース３の数だけ用意する。そして、全てのロングスライドベース３における左右のスライド面２２の前方Ｂ１側に形成されたスライド孔２３ａの拡幅部２４に、端部止め具４に連結されたフランジナット３８をくぐらせる作業を行う。
【０１０３】
そして、図６及び図７に示すように、端部止め具４の第一垂直面部３１がロングスライドベース３の返し部２５に当接する位置まで移動させネジ３６をきつく締めることで、第一平面部３２とフランジナット３８のフランジ部３８ａでロングスライドベース３のスライド面２２をしっかりと挟み込み固定する。こうして、全てのロングスライドベース３に端部止め具４を固定する。
【０１０４】
次に、二つのロングスライドベース３の前方Ｂ１に固定された端部止め具４の係止部４２とスライド面２２によって形成されている係止溝４３に第一段目のＰＶモジュール６−１の下段の長辺９の縁部９ａを挿入して支持させる。このとき、縁部９ａが端部止め具４の係止部４２の裏面４４に設けられた保護部材４５に当接するように奥まで挿入する。そして、第一段目のＰＶモジュール６−１を二つのロングスライドベース３の左右のスライド面２２上に載置する。
【０１０５】
次に、上記のように中間止め具５の二つの長孔５１に座金３９を介してネジ３６を挿通し、そのネジ３６にフランジナット３８を緩く螺合した中間止め具５を、設置したロングスライドベース３の数だけ用意する。そして、全てのロングスライドベース３における左右のスライド面２２の後方Ｂ２側に形成されたスライド孔２３ｂの拡幅部２４に、中間止め具５に連結されたフランジナット３８をくぐらせる作業を行う。
【０１０６】
そして、二つの中間止め具５をスライド面２２の前方Ｂ１にスライドさせて、図６及び図９に示すように、第一段目のＰＶモジュール６−１の上段の長辺９の縁部９ａを中間止め具５の係止部５３とスライド面２２によって形成されている係止溝５４ａに挿入して支持させる。このとき、縁部９ａが中間止め具５の係止部５３裏面５５に設けられた保護部材５６に当接するように奥まで挿入する。
【０１０７】
そして、中間止め具５のネジ３６をきつく締めることで第一平面部４８とフランジナット３８のフランジ部３８ａでスライド面２２をしっかりと挟み込み固定する。こうして、全てのロングスライドベース３に中間止め具５を固定することで、ロングスライドベース３に第一段目のＰＶモジュール６−１を固定することができ、第一段目のＰＶモジュール６−１の屋根材１０３−１，１０３−２上への設置が終了する。
【０１０８】
尚、本実施形態では、図１０に示すように、第一段目のＰＶモジュール６−１の上下段の長辺９の縁部９ａを二つの端部止め具４及び中間止め具５で固定しているが、三つ以上の端部止め具４及び中間止め具５で固定するようにしてもよい。
【０１０９】
次に、ショートスライドベース６２を用いて屋根材１０３上に第二段目（第一段目の上段）のＰＶモジュール６−２を設置する。その設置は、第三段目の屋根材１０３−３及び第四段目の屋根材１０３−４の設置と同時に行う。
【０１１０】
まず、第三段目の屋根材１０３−３及び第四段目の屋根材１０３−４を屋根１０１の桁行方向Ｅに葺く。このとき、第二段目の屋根材１０３−２のハゼ部１０４−２に設置した架台２の係止部１５は、図６及び図９に示すように、第三段目の屋根材１０３−３の係止部１０５−３が被せられるとともに、その係止部１０５−３と係止する。
【０１１１】
その後、第四段目の屋根材１０３−４のハゼ部１０４−４に、架台２の係止部１５を被せて係止させながら架台２を設置する。そして、ネジ孔１９を介してネジ２０により架台２を屋根下地１０２上に固定する。このようにして、図１０に示すように、屋根１０１の桁行方向Ｅに複数の架台２を設置する。
【０１１２】
このとき、第四段目の屋根材１０３−４のハゼ部１０４−４に設置する架台２が、第一段目の屋根材１０３−１のハゼ部１０４−１や第二段目の屋根材１０３−２のハゼ部１０４−２に設置した架台２と屋根１０１の軒棟方向（傾斜方向）Ｆになるべく一列に並ぶように設置する。
【０１１３】
次に、ショートスライドベース６２を架台２に固定する。具体的には、図６に示すように、架台２の突出部１３の載置面１２上にショートスライドベース６２の連結板６９を載置し、架台２の突出部１３のネジ孔１４とショートスライドベース６２の固定孔７０の位置を合わせ、座金３０を介して固定孔７０にボルト２９を挿通し、ボルト２９をネジ孔１４に螺合することで固定する。このとき、第四段目の屋根材１０３−４の係止部１０５−４に、ショートスライドベース６２の返し部６８を被せて係止させながら載置する。
【０１１４】
そして、上記のように中間止め具５の二つの長孔５１に座金３９を介してネジ３６を挿入し、そのネジ３６にフランジナット３８を緩く螺合した中間止め具５を、設置したショートスライドベース６２の数だけ用意する。そして、全てのショートスライドベース６２における左右のスライド面６４の後方ｂ２側に形成されたスライド孔６５ｂの拡幅部６６に、中間止め具５に連結されたフランジナット３８をくぐらせる作業を行う。
【０１１５】
そして、図６及び図９に示すように、既に設置された二つのロングスライドベース３のスライド孔２３ｂに固定されている中間止め具５の係止部５３とスライド面２２によって形成されている係止溝５４ｂに、第二段目のＰＶモジュール６−２の下段の長辺９の縁部９ａを挿入して支持させる。このとき、縁部９ａが中間止め具５の保護部材５６に当接するように奧まで挿入する。そして、第二段目のＰＶモジュール６−２を二つのロングスライドベース３の左右のスライド面２２上及び二つのショートスライドベース６２の左右のスライド面６４上に載置する。
【０１１６】
そして、ショートスライドベース６２のスライド孔６５ｂに設置した二つの中間止め具５をスライド面６４の前方ｂ１にスライドさせて、図６に示すように、第二段目のＰＶモジュール６−２の上段の長辺９の縁部９ａを中間止め具５とスライド面６４によって形成されている係止溝７１ａに挿入して支持させる。このとき、縁部９ａが中間止め具５の係止部５３の保護部材５６に当接するように奥まで挿入する。
【０１１７】
そして、中間止め具５のネジ３６をきつく締めることで第一平面部４８とフランジナット３８のフランジ部３８ａでスライド面６４をしっかりと挟み込み固定する。こうして、全てのショートスライドベース６２に中間止め具５を固定することで、ロングスライドベース３及びショートスライドベース６２に第二段目のＰＶモジュール６−２を固定することができ、第二段目のＰＶモジュール６−２の屋根材１０３−３，１０３−４上への設置が終了する。尚、本実施形態では、図１０に示すように、第二段目のＰＶモジュール６−２の上段の長辺９の縁部９ａを二つの中間止め具５で固定しているが、三つ以上の中間止め具５で固定するようにしてもよい。
【０１１８】
もし、第二段目のＰＶモジュール６−２の上段の長辺９の縁部９ａの位置が、ショートスライドベース６２のスライド孔６５ｂに設置した中間止め具５の支持可能範囲内に無い場合、つまり第二段目のＰＶモジュール６−２の上段の長辺９の縁部９ａの位置がショートスライドベース６２のスライド面６４の前方ｂ１すぎてスライド孔６５ｂに設置した中間止め具５の係止部５３とスライド面６４によって形成されている係止溝７１ａで支持できない場合には、スライド孔６５ｂから中間止め具５を外してスライド孔６５ａに設置し直し、再度ショートスライドベース６２の中間止め具５をスライド面６４の前方ｂ１にスライドさせて、第二段目のＰＶモジュール６−２の上段の長辺９の縁部９ａを係止溝７１ａに挿入する作業を行う。
【０１１９】
尚、ショートスライドベース６２を用いて屋根材１０３上に第三段目以降のＰＶモジュール６を設置する場合には、上記のように屋根材１０３を屋根１０１の桁行方向Ｅに葺きながら架台２を設置する。そして、ショートスライドベース６２をその架台２に固定し、そのショートスライドベース６２のスライド孔６５ａ，６５ｂのいずれかに端部止め具４または中間止め具５を設置する。
【０１２０】
そして、既に設置されている下段に位置するロングスライドベース３に固定された中間止め具５の係止部５３とスライド面２２によって形成される係止溝５４ｂ、またはショートスライドベース６２に固定された中間止め具５の係止部５３とスライド面６４によって形成される係止溝７１ｂに、ＰＶモジュール６の下段の長辺９の縁部９ａを挿入して支持させるとともに、新たに設置するショートスライドベース６２に固定される端部止め具４の係止部４２または中間止め具５の係止部５３とスライド面６４によって形成される係止溝にＰＶモジュール６の上段の長辺９の縁部９ａを挿入して支持させる。そして、ショートスライドベース６２に端部止め具４または中間止め具５を固定することでＰＶモジュール６の屋根材１０３上への設置が終了する。
【０１２１】
一方、本実施形態のようにショートスライドベース６２を用いてではなくロングスライドベース３を用いて屋根材１０３上に第二段目以降のＰＶモジュール６を設置する場合には、以下のような手順で作業を行う。まず、上記のように屋根材１０３を屋根１０１の桁行方向Ｅに葺きながら架台２を設置する。そして、ロングスライドベース３を架台２に固定し、そのスライド孔２３ａ，２３ｂのいずれかに端部止め具４または中間止め具５を設置する。
【０１２２】
そして、既に設置されている下段に位置するロングスライドベース３に固定された中間止め具５の係止部５３とスライド面２２によって形成される係止溝５４ｂ、またはショートスライドベース６２に固定された中間止め具５の係止部５３とスライド面６４によって形成される係止溝７１ｂに、ＰＶモジュール６の下段の長辺９の縁部９ａを挿入して支持させるとともに、新たに設置するロングスライドベース３に固定される端部止め具４の係止部４２または中間止め具５の係止部５３とスライド面６４によって形成される係止溝４３，５４ａにＰＶモジュール６の上段の長辺９の縁部９ａを挿入して支持させる。そして、ロングスライドベース３に端部止め具４または中間止め具５を固定することでＰＶモジュール６の屋根材１０３上への設置が終了する。
【０１２３】
尚、上記のように、ＰＶモジュール６を屋根１０１の軒棟方向Ｆに連続して設置する場合には、屋根材１０３の働き幅やＰＶモジュール６の大きさ等を考慮して、上記ロングスライドベース３を用いた設置方法とショートスライドベース６２を用いた設置方法のどちらが適しているかを適宜選択して施工する。また、本実施形態では、一番軒側にロングスライドベース３を設置して屋根材１０３上に第一段目（最も軒側）のＰＶモジュール６−１を設置しているが、一番軒側にショートスライドベース６２を設置して屋根材１０３上に第一段目のＰＶモジュール６−１を設置してもよい。
【符号の説明】
【０１２４】
１      取付構造                    ４３    係止溝
２      架台                        ４４    裏面
３      ロングスライドベース        ４５    保護部材
４      端部止め具                  ４６    突出部
５      中間止め具                  ４８    第一平面部
６      ＰＶモジュール              ４９    垂直面部
１２    載置面                      ５０    第二平面部
１３    突出部                      ５１    長孔
１４    ネジ孔                      ５２    裏面
１５    係止部                      ５３    係止部
１６    傾斜面                      ５４    係止溝
１８    固定面                      ５５    裏面
１９    ネジ孔                      ５６    保護部材
２０    ネジ                        ５８    突出部
２１    レール部                    ６２    ショートスライドベース
２２    スライド面                  ６３    レール部
２３    スライド孔                  ６４    スライド面
２４    拡幅部                      ６５    スライド孔
２５    返し部                      ６６    拡幅部
２６    連結板                      ６８    返し部
２８    固定孔                      ６９    連結板
２９    ボルト                      ７０    固定孔
３０    座金                        ７１    係止溝
３１    第一垂直面部                ７２    側面部
３２    第一平面部                  １０１  屋根
３３    第二垂直面部                １０２  屋根下地
３４    第二平面部                  １０３  屋根材
３５    長孔                        １０４  ハゼ部
３６    ネジ                        １０５  係止部
３８    フランジナット
３９    座金
４０    裏面
４１    側面部
４２    係止部
【図１】
2015074873.tif 000003
【図２】
2015074873.tif 000004
【図３】
2015074873.tif 000005
【図４】
2015074873.tif 000006
【図５】
2015074873.tif 000007
【図６】
2015074873.tif 000008
【図７】
2015074873.tif 000009
【図８】
2015074873.tif 000010
【図９】
2015074873.tif 000011
【図１０】
2015074873.tif 000012
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
載置面及び係止部を有する架台と、止め具と、スライド孔を有するロングスライドベース及びショートスライドベースの一方または双方とによって屋根に葺かれた横葺き屋根材上に太陽電池モジュールを設置するための取付構造であって、前記架台の前記係止部を前記横葺き屋根材のハゼ部に係止しつつ前記架台を屋根下地に固定して前記架台を前記横葺き屋根材上に設置し、前記スライド孔に前記止め具が固定された前記ロングスライドベースまたは前記ショートスライドベースの返し部を前記横葺き屋根材の係止部に係止するとともに前記架台の前記載置面に載置して前記ロングスライドベースまたは前記ショートスライドベースを屋根の軒棟方向に固定し、前記止め具によって前記太陽電池モジュールを前記ロングスライドベースまたは前記ショートスライドベースに固定することを特徴とする太陽電池モジュールの取付構造。
【請求項２】
前記スライド孔が、前記ロングスライドベースまたは前記ショートスライドベースの長手方向に延びる長孔であることを特徴とする請求項１記載の太陽電池モジュールの取付構造。
【請求項３】
前記止め具に形成された前記ロングスライドベースまたは前記ショートスライドベースに固定するための長孔が、前記止め具の長さ方向に延びる長孔であることを特徴とする請求項１または請求項２に記載の太陽電池モジュールの取付構造。
【請求項４】
前記ロングスライドベース及び前記ショートスライドベースが、前記架台に固定するための固定孔を有し、該固定孔が前記ロングスライドベースまたは前記ショートスライドベースの長手方向に延びる長孔であることを特徴とする請求項１ないし請求項３までのいずれか１項に記載の太陽電池モジュールの取付構造。
【請求項５】
前記ロングスライドベース及び前記ショートスライドベースのレール部の幅よりも長い長軸を有する平面視略楕円形状のフランジ部が設けられたフランジナットとネジによって、前記止め具を前記ロングスライドベースまたは前記ショートスライドベースの前記スライド孔に固定することを特徴とする請求項１ないし請求項４までのいずれか１項に記載の太陽電池モジュールの取付構造。
【請求項６】
前記スライド孔が、前記フランジナットを挿入可能な拡幅部を有することを特徴とする請求項５記載の太陽電池モジュールの取付構造。
【請求項７】
前記止め具が、前記太陽電池モジュールを前記ロングスライドベースまたは前記ショートスライドベースに固定するための係止部を有し、該係止部の裏面が弾性体で形成された保護部材で覆われていることを特徴とする請求項１ないし請求項６までのいずれか１項に記載の太陽電池モジュルの取付構造。
【手続補正２】
【補正対象書類名】明細書
【補正対象項目名】全文
【補正方法】変更
【補正の内容】
【発明の詳細な説明】
【技術分野】
【０００１】
本発明は、太陽電池モジュールの取付構造、詳しくは屋根への太陽電池モジュールの設置が容易な太陽電池モジュールの取付構造に関する。
【背景技術】
【０００２】
近年、地球環境に配慮したクリーンエネルギーである太陽光を利用して発電を行い、二酸化炭素（ＣＯ2 ）の排出量を減らそうとするエコの意識が世の中で高まっている。そのため、自宅の屋根の屋根材の上に太陽光で発電する太陽電池モジュールを設置し、調理、給湯、空調などのシステムをすべて電気でまかなう住宅が年々増加している。
【０００３】
そして、自宅の屋根の屋根材の上に太陽電池モジュールを設置する方法としては、特許文献１に示すように、屋根材であるスレート瓦の上に軒先取付け金具や中間取付金具を複数設置し、これらの取付金具によって支持しながら太陽電池モジュールを設置する取付け具が開示されている。
【先行技術文献】
【特許文献】
【０００４】
【特許文献１】特開２０１１−１６３０６０号公報
【０００５】
しかし、上記の取付け具は、屋根に設置するスレート瓦の働き幅やその上に設置する太陽電池モジュールの大きさに合わせて形成されているため、働き幅が異なる屋根材や大きさの異なる太陽電池モジュールには使用できないという不都合もあった。
【０００６】
また、従来の太陽電池モジュールの取付け具は、金属製の屋根材に取付け孔を設けてネジ等により太陽電池モジュールの取付け具を屋根材に固定し、太陽電池モジュールを設置する構造であるため、雨水により屋根材の取付け孔の周辺及びネジ等が腐食し、更には取付け孔からの雨水の浸入による雨漏りや屋根下地の腐食が生じていた。また、従来の太陽電池モジュールの取付け具は構造が複雑で部品数も多いため、太陽電池モジュールの設置に多くの時間を要していた。
【発明の概要】
【発明が解決しようとする課題】
【０００７】
そこで本発明は、上記のような従来の欠点を解消するものであって、構造が簡単であるとともに太陽電池モジュールの設置が容易で、横葺き屋根材の働き幅の長さに対応して太陽電池モジュールを設置することができるとともに、太陽電池モジュールの大きさにも対応して横葺き屋根材の上に設置でき、更には太陽電池モジュールの設置後も横葺き屋根材等の腐食や雨漏りを防止することができる取付構造を提供することを目的とする。
【課題を解決するための手段】
【０００８】
上記の目的を達成するため、本願の請求項１に係る発明は、載置面及び係止部を有する架台と、止め具と、スライド孔を有するロングスライドベース及びショートスライドベースの一方または双方とによって屋根に葺かれた横葺き屋根材上に太陽電池モジュールを設置するための取付構造であって、前記架台の前記係止部を前記横葺き屋根材のハゼ部に係止しつつ前記架台を屋根下地に固定して前記架台を前記横葺き屋根材上に設置し、前記スライド孔に前記止め具が固定された前記ロングスライドベースまたは前記ショートスライドベースの返し部を前記横葺き屋根材の係止部に係止するとともに前記架台の前記載置面に載置して前記ロングスライドベースまたは前記ショートスライドベースを屋根の軒棟方向に固定し、前記止め具によって前記太陽電池モジュールを前記ロングスライドベースまたは前記ショートスライドベースに固定することを特徴とする。
【０００９】
また、本願の請求項２に係る発明は、前記スライド孔が、前記ロングスライドベースまたは前記ショートスライドベースの長手方向に延びる長孔であることを特徴とする。
【００１０】
また、本願の請求項３に係る発明は、前記止め具に形成された前記ロングスライドベースまたは前記ショートスライドベースに固定するための長孔が、前記止め具の長さ方向に延びる長孔であることを特徴とする。
【００１１】
また、本願の請求項４に係る発明は、前記ロングスライドベース及び前記ショートスライドベースが、前記架台に固定するための固定孔を有し、該固定孔が前記ロングスライドベースまたは前記ショートスライドベースの長手方向に延びる長孔であることを特徴とする。
【００１２】
また、本願の請求項５に係る発明は、前記ロングスライドベース及び前記ショートスライドベースのレール部の幅よりも長い長軸を有する平面視略楕円形状のフランジ部が設けられたフランジナットとネジによって、前記止め具を前記ロングスライドベースまたは前記ショートスライドベースの前記スライド孔に固定することを特徴とする。
【００１３】
また、本願の請求項６に係る発明は、前記スライド孔が、前記フランジナットを挿入可能な拡幅部を有することを特徴とする。
【００１４】
また、本願の請求項７に係る発明は、前記止め具が、前記太陽電池モジュールを前記ロングスライドベースまたは前記ショートスライドベースに固定するための係止部を有し、該係止部の裏面が弾性体で形成された保護部材で覆われていることを特徴とする。
【発明の効果】
【００１５】
上記より、請求項１に係る発明によれば、構造が簡単であるとともに横葺き屋根材上に連続して太陽電池モジュールを容易に設置することができるため、作業者の屋根上での作業時間を短縮でき作業者の安全を図ることができる。また、横葺き屋根材に取付け孔等を設けずに屋根に横葺き屋根材を固定しつつ葺き上げることができるため、太陽電池モジュールの設置後も雨水による横葺き屋根材の腐食を防止できるとともに雨漏りも防止することができる。
【００１６】
また、請求項２ないし請求項４に係る発明によれば、構造や使用する部材を変更することなく太陽電池モジュールの大きさに対応して横葺き屋根材上に太陽電池モジュールを設置することができるとともに、横葺き屋根材の働き幅の長さに対応して太陽電池モジュールを設置することができる。
【００１７】
また、請求項５及び請求項６に係る発明によれば、ロングスライドベースまたはショートスライドベースへの止め具の固定が容易になるため、太陽電池モジュールの設置時間が短縮でき上記と同様に作業者の安全を図ることができる。
【００１８】
また、請求項７に係る発明によれば、係止部の裏面に保護部材を設けたことで、設置する太陽電池モジュールと保護部材が密着するため、がたつくことが無く安定した太陽電池モジュールの設置が可能となる。
【図面の簡単な説明】
【００１９】
【図１】本発明の取付構造に使用する架台の斜視図である。
【図２】本発明の取付構造に使用する端部止め具の斜視図である。
【図３】本発明の取付構造に使用する中間止め具の斜視図である。
【図４】本発明の取付構造に使用する架台、端部止め具、中間止め具及びロングスライドベースの設置態様を示す斜視図である。
【図５】本発明の取付構造に使用するショートスライドベースの斜視図である。
【図６】本発明の取付構造によって太陽電池モジュールを設置した状態を示す縦断面図である。
【図７】図６に示すＩの部分拡大図である。
【図８】図６に示すIIの部分拡大図である。
【図９】図６に示すIIIの部分拡大図である。
【図１０】本発明の取付構造によって太陽電池モジュールを設置した状態を示す外観斜視図である。
【発明を実施するための形態】
【００２０】
以下、本発明を図１ないし図１０に従って詳細に説明する。尚、以下で本発明に係る実施形態を詳細に説明するが、本発明はこれに限定されるものではない。
【００２１】
本発明に係る太陽電池モジュールの取付構造（以下「取付構造」という）１は、屋根１０１の屋根下地１０２である野地板１０２ａや防水シート１０２ｂの上に葺かれた薄い金属板等で形成された横葺き屋根材（以下「屋根材」という）１０３の上に、架台２、ロングスライドベース３、ショートスライドベース６２、端部止め具４及び中間止め具５を介して太陽電池モジュール（以下「ＰＶモジュール」という）６を設置する構造である。
【００２２】
ＰＶモジュール６は、一般に使用されている単結晶シリコン系のＰＶモジュールや多結晶シリコン系のＰＶモジュールである。そして、このＰＶモジュール６は、縦方向の一対の短辺８及び横方向の一対の長辺９を有する平面視略長方形状であって、薄板状に形成されたものである。また、表面１０側には太陽電池セルが配置され、裏面１１側には電極ボックスが配置されるとともに、その電極ボックスから他のＰＶモジュール６と電気的に接続するための端子ケーブルが伸びている（図示せず）。
【００２３】
２は、野地板１０２ａと防水シート１０２ｂによって形成される屋根下地１０２上に葺かれた屋根材１０３に設置する架台である。この架台２は、図１に示すように、横長略長方形状の薄い金属製の平板を折り曲げて形成されている。架台２の長手方向Ａの前方Ａ１には、以下で詳述するロングスライドベース３を載置して固定するための載置面１２を有する突出部１３が上方へ向けて凸状に形成されている。また、載置面１２は平面であるとともに、その中央にはロングスライドベース３を固定するためのネジ孔１４が設けられている。
【００２４】
また、架台２の長手方向Ａの中央には屋根材１０３のハゼ部１０４に被せて係止させるための係止部１５が設けられている。この係止部１５は、上方へ向けて断面略Ｓ字状に折り曲げられているとともに、架台２の後方Ａ２にかけて下降傾斜する傾斜面１６が形成されている。また、架台２の後方Ａ２には平らな固定面１８が設けられ、その固定面１８には架台２を屋根下地１０２上に固定するためのネジ孔１９が三つ設けられている。
【００２５】
上記構造により、図６及び図８に示すように、屋根下地１０２上に設置された屋根材１０３のハゼ部１０４に架台２の係止部１５を被せて係止させながら屋根下地１０２上に架台２の固定面１８を載置し、ネジ孔１９を介してネジ２０等により架台２を屋根下地１０２上に固定することができる。
【００２６】
このように架台２を屋根下地１０２上に固定することで、屋根材１０３のハゼ部１０４及びその周辺が架台２により上から押さえつけられるため、屋根材１０３も屋根下地１０２上に固定することが可能となる。そのため、屋根材１０３の腐食の原因となるネジ孔等を設けずに屋根材１０３を屋根下地１０２上に葺き上げることができる。
【００２７】
また、架台２の係止部１５は、図６及び図８に示すように、その架台２を設置した屋根材１０３の上段に設置する屋根材１０３の係止部１０５が被せられるとともに、その係止部１０５と係止する。そのため、屋根材１０３を普段の場合と同様に葺き上げることが可能であり、ＰＶモジュール６の設置後も屋根１０１の防水性を保つことができる。
【００２８】
３は、屋根材１０３に設置された架台２の載置面１２に載置し固定するためのロングスライドベースである。このロングスライドベース３は、全長が約４６０ｍｍ、幅が７０ｍｍ程度であり、図４に示すように、薄い金属製の平板を折り曲げて形成されている。また、ロングスライドベース３には、左右に断面略コの字状の細長いレール部２１が平行に設けられている。
【００２９】
また、左右のレール部２１の上面には平らなスライド面２２が設けられ、そのスライド面２２には二つのスライド孔２３ａ，２３ｂが形成されている。これらのスライド孔２３ａ，２３ｂは、以下で詳述するＰＶモジュール６を支持し固定する端部止め具４や中間止め具５を固定するとともに、端部止め具４や中間止め具５がレール部２１のスライド面２２上を長手方向Ｂにスライド可能とするための孔である。
【００３０】
また、端部止め具４や中間止め具５がレール部２１のスライド面２２上のほぼ全域に亘って移動可能とすべく、幅が狭くて細長いスライド孔２３ａ，２３ｂが左右のレール部２１のスライド面２２の長手方向Ｂ（ロングスライドベース３の長手方向Ｂ）に延び、そのスライド面２２のほぼ全長に亘って形成されている。具体的には、スライド孔２３ａはスライド面２２の前方Ｂ１の端部付近から真ん中付近にかけて形成され、スライド孔２３ｂはスライド面２２の後方Ｂ２の端部付近から真ん中付近にかけて形成されている。
【００３１】
また、スライド孔２３ａ，２３ｂは、幅の広い略正方形状の拡幅部２４を有するため、全体の形状がかなづち状であり、スライド孔２３ａでは拡幅部２４がスライド面２２の前方Ｂ１の端部付近に、スライド孔２３ｂでは拡幅部２４がスライド面２２の後方Ｂ２の端部付近に形成されている。
【００３２】
上記構造により、端部止め具４や中間止め具５の固定する位置を、ロングスライドベース３のレール部２１のスライド面２２上で長手方向Ｂに変更可能であるため、ＰＶモジュール６の大きさに対応させながらＰＶモジュール６をロングスライドベース３に固定することができる。
【００３３】
また、スライド孔２３ａ，２３ｂを拡幅部２４を有するかなづち状としたことで、以下で詳述するようにロングスライドベース３への端部止め具４及び中間止め具５の固定が容易になり、作業者の屋根上での作業時間を短縮できるため作業者の安全を図ることができる。
【００３４】
尚、本実施形態に係る取付構造１で使用するロングスライドベース３のスライド孔２３ａ，２３ｂの拡幅部２４は略正方形状であるが、ある一定の幅があれば円形状や多角形状であってもよい。また、拡幅部２４の位置は、スライド面２２の前方Ｂ１の端部付近や後方Ｂ２の端部付近に形成されているが、それ以外の場所に形成されていてもよい。
【００３５】
但し、以下で詳述するロングスライドベース３への端部止め具４及び中間止め具５の固定作業を容易にするため、左右のレール部２１のスライド面２２に形成されたスライド孔２３ａのそれぞれの拡幅部２４の位置、及びスライド孔２３ｂのそれぞれの拡幅部２４の位置は揃えることが望ましい。
【００３６】
また、スライド孔２３ａ，２３ｂはスライド面２２の中央でつながり、一つのスライド孔として形成されていてもよい。
【００３７】
ロングスライドベース３の左右のレール部２１の前方Ｂ１の先端部には、屋根材１０３の係止部１０５に被せて係止させるための返し部２５が設けられている。この返し部２５は、レール部２１のスライド面２２の先端部から垂下するとともに後方Ｂ２へ向けて水平に折り曲げられ側面視略Ｌ字状に形成されている。
【００３８】
また、左右のレール部２１，２１の間には、お互いのレール部２１を連結する連結板２６が設けられている。この連結板２６は平らであり、その中央やや前方Ｂ１寄りの位置及び後方Ｂ１の端部付近の位置にそれぞれ横長略楕円形状の固定孔２８が形成されている。この固定孔２８は連結板２６の長手方向Ｂに延びるように形成されているため、ロングスライドベース３の架台２への固定が可能となっている。
【００３９】
具体的には、図４に示すように、二つの架台２を一列に並べ、突出部１３の載置面１２にロングスライドベース３の連結板２６を載置し、連結板２６の固定孔２８から架台２の突出部１３のネジ孔１４が見えるようにロングスライドベース３の位置を調整する。そして、ロングスライドベース３の固定孔２８に座金３０を介してボルト２９を挿通し、架台２のネジ孔１４に螺合することで、架台２にロングスライドベース３を固定することができる。
【００４０】
また、固定孔２８はロングスライドベース３の長手方向Ｂに延びるように形成されているため、架台２の位置の変化に対応可能となっている。つまり、図６に示すように、第一段目（最も軒側）のＰＶモジュール６−１を設置する第一段目（最も軒側）の屋根材１０３−１の係止部１０５−１とその屋根材１０３−１のハゼ部１０４−１に設置した架台２との間隔、及び第一段目の屋根材１０３−１のハゼ部１０４−１に設置した架台２と第二段目（第一段目の上段）の屋根材１０３−２のハゼ部１０４−２に設置した架台２との間隔は、屋根材１０３の働き幅の長さによって変化するが、本発明に係る取付構造１によれば、その変化に対応して架台２にロングスライドベース３を固定することができ、ひいてはＰＶモジュール６の設置が可能となる。
【００４１】
４は、略長方形状の薄い金属製の平板を折り曲げて形成された端部止め具であって、一番軒側または一番棟側に設置されたロングスライドベース３またはショートスライドベース６２にＰＶモジュール６を固定するための部材である。そしてその端部止め具４は、図２に示すように、階段状に折り曲げられており、第一垂直面部３１、第一平面部３２、第二垂直面部３３、第二平面部３４を有する。また、折り曲げの角度は、全ての角度が９０度になるように形成されている。
【００４２】
また、第一平面部３２には、端部止め具４の長さ方向Ｃ２に延びる横長略楕円形状の長孔３５が形成されている。この長孔３５は、ＰＶモジュール６を支持する端部止め具４をロングスライドベース３またはショートスライドベース６２に固定するとともに、端部止め具４がロングスライドベース３のスライド面２２上またはショートスライドベース６２のスライド面６４上を長手方向Ｂ，ｂにスライド可能とするための孔である。そのため、ロングスライドベース３に形成された二つのスライド孔２３ａ（２３ｂ）の間隔及び以下に詳述するショートスライドベース６２に形成された二つのスライド孔６５ａ（６５ｂ）の間隔と同じ間隔を端部止め具４の幅方向Ｃ１に空けて二つの長孔３５が第一平面部３２の両端付近に形成されている。
【００４３】
よって、ＰＶモジュール６の短辺８の長さに対応させながら端部止め具４をロングスライドベース３またはショートスライドベース６２に固定することができるため、大きさの異なる多くの種類のＰＶモジュール６を屋根材１０３上に設置することができる。
【００４４】
ここで、端部止め具４のロングスライドベース３への具体的な固定方法を説明すると、図４に示すように、まず事前に端部止め具４の二つの長孔３５に座金３９を介してネジ３６を挿通し、そのネジ３６に楕円形状のフランジ部３８ａを有するフランジナット３８を緩く螺合させておく。
【００４５】
このように緩く螺合させた状態とするのは、端部止め具４の第一平面部３２の裏面４０とフランジナット３８のフランジ部３８ａとの間隔を広くしておくことで、以下に詳述するロングスライドベース３のスライド孔２３ａ，２３ｂにフランジナット３８をくぐらせる作業を容易にするためである。
【００４６】
次に、ロングスライドベース３のスライド面２２の前方Ｂ１側に形成されたスライド孔２３ａに端部止め具４に連結されたフランジナット３８をくぐらせる作業を行う。まず、端部止め具４の第一垂直面部３１をロングスライドベース３の返し部２５と同じ側に向けて平行にしつつ、ロングスライドベース３の前方Ｂ１の端部付近のスライド面２２と端部止め具４の第一平面部３２の裏面４０とを対峙させる。
【００４７】
そして、端部止め具４の第一平面部３２とフランジナット３８のフランジ部３８ａの間隔をできるだけ広く保ち、左右のスライド面２２のスライド孔２３ａの拡幅部２４にフランジナット３８を同時にくぐらせる。
【００４８】
このとき、略正方形状の拡幅部２４の一辺は、フランジナット３８のフランジ部３８ａの短軸の長さよりも長いが長軸の長さよりも短く設定されている。そのため、まずフランジ部３８ａの長軸をロングスライドベース３のレール部２１の長手方向Ｂに向け、次に拡幅部２４に対してフランジ部３８ａを傾斜させてフランジ部３８ａの長軸方向の端部から拡幅部２４に挿入する。そして、ネジ３６をネジ孔２３ａの後方Ｂ２へスライドさせることで、フランジ部３８ａ（フランジナット３８）を拡幅部２４に完全にくぐらせることができる。
【００４９】
フランジナット３８をくぐらせた後は、端部止め具４がロングスライドベース３のスライド面２２上をスライド可能な状態となる。具体的には、端部止め具４の第一垂直面部３１がロングスライドベース３の返し部２５と当接した状態から、端部止め具４の長孔３５の第二垂直面部３３側の端部とロングスライドベース３のスライド孔２３ａの前方Ｂ１の端部とによってネジ３６が挟まれる状態となるまで、端部止め具４をスライドさせることができる。
【００５０】
そして、端部止め具４をロングスライドベース３のスライド面２２上の所望の位置まで移動させ、ネジ３６をきつく締めて端部止め具４の第一平面部３２とフランジナット３８のフランジ部３８ａでスライド面２２をしっかりと挟み込むことで、ロングスライドベース３に端部止め具４を固定する。
【００５１】
尚、フランジナット３８に螺合したネジ３６をきつく締めるときに、ネジ３６を回すとフランジナット３８も同じ方向に回転しようとするが、フランジナット３８のフランジ部３８ａの長軸の長さがロングスライドベース３のレール部２１の幅Ｗよりも長いため、フランジナット３８の回転がレール部２１の側面部４１によって遮られる。そのため、ネジ３６を回すだけでネジ３６をきつく締めることが可能となっている。
【００５２】
また、スライド孔２３ａの拡幅部２４の位置でネジ３６をきつく締める場合であっても、端部止め具４の第一平面部３２とフランジナット３８のフランジ部３８ａとの間に、略正方形状の拡幅部２４の周辺のスライド面２２をもぐり込ませて挟むことが可能であるため、問題なくロングスライドベース３に端部止め具４を固定することができる。
【００５３】
上記のように、フランジ部３８ａを有するフランジナット３８をスライド孔２３ａに挿入することができるとともに、ネジ３６を回すだけでネジ３６をきつく締めることができる構造であるため、ロングスライドベース３への端部止め具４の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００５４】
また、上記のようにロングスライドベース３に端部止め具４を固定することで、図６及び図７に示すように、レール部２１のスライド面２２と、端部止め具４の第二垂直面部３３及び第二平面部３４により形成される係止部４２とによって、ＰＶモジュール６の長辺９の縁部９ａを挿入するための係止溝４３が形成される。
【００５５】
また、図２に示すように、第二垂直面部３３と第二平面部３４により形成される係止部４２の裏面４４には、そのほぼ全面を覆うようにゴム等の弾性体で形成された保護部材４５が設けられている。そのため、ＰＶモジュール６を傷つけることなく支持するとともにロングスライドベース３に設置し固定することができる。また、保護部材４５は弾性を有するため、ＰＶモジュール６の長辺９の縁部９ａを係止溝４３の奥まで挿入した場合には、保護部材４５がＰＶモジュール６の長辺９の縁部９ａと当接し変形して密着するため、がたつくことが無く安定した固定が可能となる。
【００５６】
尚、端部止め具４の強度を保つため、第二平面部３４から第二垂直面部３３及び第一平面部３２を通って第一垂直面部３１へ延びる突出部４６が設けられている。この突出部４６は、断面略半楕円形状であって上方へ向けて突出し、二本の長孔３５内側に設けられている。
【００５７】
５は略長方形状の薄い金属製の平板を折り曲げて作成された中間止め具であって、屋根材１０３上に設置されたロングスライドベース３またはショートスライドベース６２にＰＶモジュール６を固定するための部材である。
【００５８】
そしてその中間止め具５は、図３に示すように、真ん中が窪んだ形に折り曲げられている。具体的には、第一平面部４８の両端には第一平面部４８に対して垂直に延びる垂直面部４９がそれぞれ設けられ、その両垂直面部４９，４９の上端から第一平面部４８に対して水平に外側に向けて延びる第二平面部５０がそれぞれ設けられており、左右対称に形成されている。また、全ての角部の角度が９０度になるように形成されている。
【００５９】
また、第一平面部４８には、中間止め具５の長さ方向Ｄ２に延びる横長略楕円形状の長孔５１が形成されている。この長孔５１は、ＰＶモジュール６を支持する中間止め具５をロングスライドベース３またはショートスライドベース６２に固定するとともに、中間止め具５がロングスライドベース３のスライド面２２またはショートスライドベース６２のスライド面６４上を長手方向Ｂ，ｂにスライド可能とするための孔である。そのため、ロングスライドベース３に形成された二つのスライド孔２３ａ（２３ｂ）の間隔及び以下に詳述するショートスライドベース６２に形成された二つのスライド孔６５ａ（６５ｂ）の間隔と同じ間隔を中間止め具５の幅方向Ｄ１に空けて二つの長孔３５が第一平面部４８の両端付近に形成されている。
【００６０】
よって、ＰＶモジュール６の短辺８の長さに対応させながら中間止め具５をロングスライドベース３またはショートスライドベース６２に固定することができるため、大きさの異なる多くの種類のＰＶモジュール６を屋根材１０３上に設置することができる。
【００６１】
ここで、中間止め具５のロングスライドベース３への具体的な固定方法を説明すると、端部止め具４の場合と同様に、まず事前に中間止め具５の二つの長孔５１に座金３９を介してネジ３６を挿通し、そのネジ３６に楕円形状のフランジ部３８ａを有するフランジナット３８を緩く螺合させておく。
【００６２】
次に、ロングスライドベース３のスライド面２２の後方Ｂ２側に形成されたスライド孔２３ｂに、中間止め具５に連結されたフランジナット３８をくぐらせる作業を行う。まず、ロングスライドベース３の後方Ｂ２の端部付近のスライド面２２と中間止め具５の第一平面部４８の裏面５２とを対峙させつつ、中間止め具５の長さ方向Ｄ２をロングスライドベース３の長手方向Ｂと同じ方向に向ける。
【００６３】
そして、中間止め具５の第一平面部４８とフランジナット３８のフランジ部３８ａの間隔をできるだけ広く保ち、左右のスライド面２２スライド孔２３ｂの拡幅部２４にフランジナット３８を同時にくぐらせる。
【００６４】
このとき、上記端部止め具４をロングスライドベース３に固定する場合と同様に、フランジ部３８ａの長軸をロングスライドベース３のレール部２１の長手方向Ｂに向け、拡幅部２４に対してフランジ部３８ａを傾斜させてフランジ部３８ａの長軸方向の端部から拡幅部２４に挿入する。そして、ネジ３６をネジ孔２３ｂの前方Ｂ１へスライドさせることで、フランジ部３８ａ（フランジナット３８）を拡幅部２４に完全にくぐらせることができる。
【００６５】
フランジナット３８をくぐらせた後は、中間止め具５がロングスライドベース３のスライド面２２上をスライド可能な状態となる。具体的には、スライド面２２の後方Ｂ２の端部付近から中央付近まで中間止め具５をスライドさせることができる。
【００６６】
そして、中間止め具５をロングスライドベース３のスライド面２２上の所望の位置まで移動させ、ネジ３６をきつく締めて中間止め具５の第一平面部４８とフランジナット３８のフランジ部３８ａでスライド面２２をしっかりと挟み込むことで、ロングスライドベース３に中間止め具５を固定する。
【００６７】
尚、フランジナット３８に螺合したネジ３６をきつく締めるときに、ネジ３６を回すだけでネジ３６をきつく締めることができる点、及びスライド孔２３ｂの拡幅部２４の位置であってもロングスライドベース３に中間止め具５を固定することができる点は、上記端部止め具４をロングスライドベース３に固定する場合と同様である。
【００６８】
上記のように、フランジ部３８ａを有するフランジナット３８をスライド孔２３ｂに挿入することができるとともに、ネジ３６を回すだけでネジ３６をきつく締めることができる構造であるため、ロングスライドベース３への中間止め具５の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００６９】
また、上記のようにロングスライドベース３に中間止め具５を固定することで、図６及び図９に示すように、レール部２１のスライド面２２と、中間止め具５の垂直面部４９及び第二平面部５０により形成される係止部５３とによって、ＰＶモジュール６の長辺９の縁部９ａを挿入するための二つの係止溝５４ａ，５４ｂが形成される。
【００７０】
また、図３に示すように、垂直面部４９と第二平面部５０により形成される二つの係止部５３の裏面５５には、端部止め具４の場合と同様に、そのほぼ全面を覆うようにゴム等の弾性体で形成された保護部材５６が設けられている。そのため、ＰＶモジュール６を傷つけることなく支持するとともにロングスライドベース３に設置し固定することができる。また、保護部材５６は弾性を有するため、ＰＶモジュール６の長辺９の縁部９ａを係止溝５４ａ，５４ｂの奥まで挿入した場合には、保護部材５６がＰＶモジュール６の長辺９の縁部９ａと当接し変形して密着するため、がたつくことが無く安定した固定が可能となる。
【００７１】
尚、中間止め具５の強度を保つため、一方の第二平面部５０から垂直面部４９、第一平面部４８及び垂直面部４９を通って他方の第二平面部５０へ延びる突出部５８が設けられている。この突出部５８は、断面略半楕円形状であって上方へ向けて突出し、二本の長孔５１の内側に設けられている。
【００７２】
６２はショートスライドベース６２であり、上記のロングスライドベース３と同様に、屋根材１０３に設置された架台２の載置面１２に載置し固定するための部材である。このショートスライドベース６２は、上記のロングスライドベース３と基本的な形状はほぼ同様である。
【００７３】
具体的には、図５に示すように、ショートスライドベース６２も薄い金属製の平板を折り曲げて形成されており、左右に断面略コの字状の細長いレール部６３が平行に設けられている。このショートスライドベース６２は、全長が約２４０ｍｍ程度であり、ロングスライドベース３の約半分の長さである。また、幅は７０ｍｍ程度であり、ロングスライドベース３と同じである。
【００７４】
また、左右のレール部６３の上面には平らなスライド面６４が設けられ、そのスライド面６４には二つのスライド孔６５ａ，６５ｂが形成されている。これらのスライド孔６５ａ，６５ｂは、ＰＶモジュール６を支持する端部止め具４や中間止め具５を固定するとともに、端部止め具４や中間止め具５がレール部６３のスライド面６４上を長手方向ｂにスライド可能とするための孔である。そして、スライド孔６５ａまたはスライド孔６５ｂのどちらかを使用することによって、端部止め具４や中間止め具５をショートスライドベース６２に固定する。
【００７５】
また、端部止め具４や中間止め具５が、レール部６３のスライド面６４上を移動可能とすべく、幅が狭くて細長いスライド孔６５ａ，６５ｂが左右のレール部６３のスライド面６４の長手方向ｂ（ショートスライドベース６２の長手方向ｂ）に延びるように形成されている。具体的には、スライド孔６５ａはスライド面６４のほぼ中央付近に形成され、スライド孔６５ｂはスライド面６４の中央からやや後方ｂ２寄りの位置に形成されており、これら二つのスライド孔６５ａ，６５ｂは近接して形成されている。
【００７６】
また、スライド孔６５ａ，６５ｂは、幅の広い略正方形状の拡幅部６６を有するため、全体の形状がかなづち状であり、スライド孔６５ａではその拡径部６６がスライド孔６５ａの前方ｂ１の端部に、スライド孔６５ｂでは拡径部６６がスライド孔６５ｂの後方ｂ２の端部に形成されている。
【００７７】
上記構造により、端部止め具４や中間止め具５の固定する位置を、ショートスライドベース６２のレール部６３のスライド面６４上で長手方向ｂに変更可能であるため、ＰＶモジュール６の大きさに対応させながらＰＶモジュール６をショートスライドベース６２に固定することができる。
【００７８】
また、スライド孔６５ａ，６５ｂを拡幅部６６を有するかなづち状としたことで、以下で詳述するようにショートスライドベース６２への端部止め具４や中間止め具５の固定が容易になり、作業者の屋根上での作業時間を短縮できるため、作業者の安全を図ることができる。
【００７９】
尚、本実施形態に係る取付構造１で使用するショートスライドベース６２のスライド孔６５ａ，６５ｂの拡幅部６６は略正方形状であるが、ある一定の幅があれば円形や多角形であってもよい。また、拡幅部６６の位置は、スライド孔６５の前方ｂ１の端部や後方ｂ２の端部に形成されているが、それ以外の場所に形成されていてもよい。
【００８０】
但し、上記のロングスライドベース３の場合と同様に、ショートスライドベース６２への端部止め具４や中間止め具５の固定を容易にするため、左右のレール部６３のスライド面６４に形成されたスライド孔６５ａのそれぞれの拡幅部６６の位置、及びスライド孔６５ｂのそれぞれの拡幅部６６の位置は揃えることが望ましい。
【００８１】
また、スライド孔６５ａ，６５ｂはスライド面６４の中央付近でつながり、一つのスライド孔として形成されていてもよい。また、ロングスライドベース３のように、端部止め具４や中間止め具５がレール部６３のスライド面６４上の全域に亘って移動可能とすべく、スライド面６４のほぼ全長に亘って延びるスライド孔６５ａ，６５ｂが形成されていてもよい。
【００８２】
ショートスライドベース６２の左右のレール部６３の前方ｂ１の先端部には、屋根材１０３の係止部１０５に被せて係止させるための返し部６８が設けられている。この返し部６８は、レール部６３のスライド面６４の先端部から垂下するとともに後方ｂ２へ向けて水平に折り曲げられ側面視略Ｌ字状に形成されている。
【００８３】
また、左右のレール部６３，６３の間には、お互いのレール部６３を連結する連結板６９が設けられている。この連結板６９は平らであり、その後方ｂ２の端部付近に横長略楕円形状の固定孔７０が形成されている。この固定孔７０は連結板６９の長手方向ｂに伸びるように形成されているため、ショートスライドベース６２の架台２への固定が可能となっている。
【００８４】
具体的には、図６に示すように、架台２の突出部１３の載置面１２にショートスライドベース６２の連結板６９を載置し、連結板６９の固定孔７０から架台２の突出部１３のネジ孔１４が見えるようにショートスライドベース６２の位置を調整する。そして、ショートスライドベース６２の固定孔７０に座金３０を介してボルト２９を挿通し、架台２のネジ孔１４に螺合することで、架台２にショートライドベース６２を固定することができる。
【００８５】
また、固定孔７０はショートスライドベース６２の長手方向ｂに延びるように形成されているため、架台２の位置の変化に対応可能となっている。つまり、図６に示すように、第二段目（第一段目の上段）のＰＶモジュール６−２を設置する第四段目の屋根材１０３−４の係止部１０５−４とその屋根材１０３−４のハゼ部１０４−４に設置した架台２との間隔は、屋根材１０３の働き幅の長さによって変化するが、本発明に係る取付構造１によれば、その変化に対応してショートスライドベース６２を架台２に固定することができ、ひいてはＰＶモジュール６の設置が可能となる。
【００８６】
尚、上記のようにショートスライドベース６２の各構成要素ついては、ロングスライドベース３の各構成要素とほぼ同じであるため、端部止め具４や中間止め具５のショートスライドべース６２への固定方法も、上記の端部止め具４や中間止め具５のロングスライドベース３への固定方法とほぼ同様である。
【００８７】
ここでは、中間止め具５のショートスライドベース６２への具体的な固定方法を説明すると、まず事前に中間止め具５の二つの長孔５１に座金３９を介してネジ３６を挿通し、そのネジ３６に楕円形のフランジ部３８ａを有するフランジナット３８を緩く螺合させておく。
【００８８】
次に、ショートスライドベース６２のスライド面６４の後方ｂ２側に形成されたスライド孔６５ｂに、中間止め具５に連結されたフランジナット３８をくぐらせる作業を行う。まず、ショートスライドベース６２の後方ｂ２の端部付近のスライド面６４と中間止め具５の第一平面部４８の裏面５２とを対峙させつつ、中間止め具５の長さ方向Ｄ２をショートスライドベース６２の長手方向ｂと同じ方向に向ける。
【００８９】
そして、中間止め具５の第一平面部４８とフランジナット３８のフランジ部３８ａの間隔をできるだけ広く保ち、左右のスライド面６４スライド孔６５ｂの拡幅部６６にフランジナット３８を同時にくぐらせる。
【００９０】
このとき、略正方形状の拡幅部６６の一辺は、フランジナット３８のフランジ部３８ａの短軸の長さよりも長いが長軸の長さよりも短く設定されている。そのため、上記端部止め具４をロングスライドベース３に固定する場合と同様に、フランジ部３８ａの長軸をショートスライドベース６２のレール部６３の長手方向ｂに向け、拡幅部６６に対してフランジ部３８ａを傾斜させてフランジ部３８ａの長軸方向の端部から拡幅部６６に挿入する。そして、ネジ３６をネジ孔６５ｂの前方ｂ１へスライドさせることで、フランジ部３８ａ（フランジナット３８）を拡幅部６６に完全にくぐらせることができる。
【００９１】
フランジナット３８をくぐらせた後は、中間止め具５がショートスライドベース６２のスライド面６４上をスライド可能な状態となる。具体的には、スライド面６４の後方ｂ２の端部付近から中央付近まで中間止め具５をスライドさせることができる。
【００９２】
そして、中間止め具５をショートスライドベース６２のスライド面６４の所望の位置まで移動させ、ネジ３６をきつく締めて中間止め具５の第一平面部４８とフランジナット３８のフランジ部３８ａでスライド面６４をしっかりと挟み込むことで、ショートスライドベース６２に中間止め具５を固定する。
【００９３】
尚、フランジナット３８に螺合したネジ３６をきつく締めるときに、ネジ３６を回すとフランジナット３８も同じ方向に回転しようとするが、フランジナット３８のフランジ部３８ａの長軸の長さがショートスライドベース６２のレール部６３の幅ｗよりも長いため、フランジナット３８の回転がレール部６３の側面部７２によって遮られる。そのため、ネジ３６を回すだけでネジ３６をきつく締めることが可能となっている。
【００９４】
また、スライド孔６５ｂの拡幅部６６の位置でネジ３６をきつく締める場合であっても、中間止め具５の第一平面部４８とフランジナット３８のフランジ部３８ａとの間に、略正方形状の拡幅部６６の周辺のスライド面６４をもぐり込ませて挟むことが可能であるため、問題なくショートスライドベース６２に中間止め具５を固定することができる。
【００９５】
上記のように、フランジ部３８ａを有するフランジナット３８をスライド孔６５ｂに挿入することができるとともに、ネジ３６を回すだけでネジ３６をきつく締めることができる構造であるため、ショートスライドベース６２への中間止め具５の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００９６】
また、上記のようにショートスライドベース６２に中間止め具５を固定することで、図６に示すように、レール部６３のスライド面６４と、中間止め具５の垂直面部４９及び第二平面部５０により形成される係止部５３とによって、ＰＶモジュール６の長辺９の縁部９ａを挿入するための係止溝７１ａ，７１ｂが形成される。
【００９７】
次に、本発明に係る取付構造１の施工手順について、図４、図６ないし図１０に基づいて説明する。まず、ロングスライドベース３を用いて屋根材１０３上に第一段目（最も軒側）のＰＶモジュール６−１を設置する。その設置は、第一段目（ＰＶモジュール６を設置する最も軒側）の屋根材１０３−１及び第二段目（第一段目の上段）の屋根材１０３−２の設置と同時に行う。
【００９８】
まず、第一段目の屋根材１０３−１を屋根１０１の桁行方向Ｅに葺く。その後、図６及び図８に示すように、第一段目のＰＶモジュール６−１を設置する屋根材１０３−１のハゼ部１０４−１に架台２の係止部１５を被せて係止させながら架台２を設置する。そして、ネジ孔１９を介してネジ２０により架台２を屋根下地１０２上に固定する。このようにして、図１０に示すように、屋根１０１の桁行方向Ｅに複数の架台２を設置する。
【００９９】
次に、第一段目の屋根材１０３−１の上段に第二段目の屋根材１０３ー２を屋根１０１の桁行方向Ｅに葺く。このとき、第一段目の屋根材１０３−１のハゼ部１０４−１に設置した架台２の係止部１５は、図６及び図８に示すように、第二段目の屋根材１０３−２の係止部１０５ー２が被せられるとともにに、その係止部１０５−２と係止する。
【０１００】
そして、第二段目の屋根材１０３−２のハゼ部１０４−２にも架台２の係止部１５を被せて係止させながら複数の架台２を設置する。このとき、第二段目の屋根材１０３−２のハゼ部１０４−２に設置する架台２が、第一段目の屋根材１０３−１のハゼ部１０４−１に設置した架台２と屋根１０１の軒棟方向（傾斜方向）Ｆになるべく一列に並ぶように設置し、ネジ孔１９を介してネジ２０により架台２を屋根下地１０２上に固定する。
【０１０１】
次に、ロングスライドベース３を架台２に固定する。具体的には、図４及び図６に示すように、軒棟方向Ｆに一列に並んだ二つの架台２の突出部１３の載置面１２上にロングスライドベース３の連結板２６を載置し、架台２の突出部１３のネジ孔１４とロングスライドベース３の固定孔２８の位置を合わせ、座金３０を介して固定孔２８にボルト２９を挿通し、ボルト２９をネジ孔１４に螺合することで固定する。このとき、図６及び図７に示すように、第一段目の屋根材１０３−１の係止部１０５−１に、ロングスライドベース３の返し部２５を被せて係止させながら載置する。
【０１０２】
そして、上記のように端部止め具４の二つの長孔３５に座金３９を介してネジ３６を挿通し、そのネジ３６にフランジナット３８を緩く螺合した端部止め具４を、設置したロングスライドベース３の数だけ用意する。そして、全てのロングスライドベース３における左右のスライド面２２の前方Ｂ１側に形成されたスライド孔２３ａの拡幅部２４に、端部止め具４に連結されたフランジナット３８をくぐらせる作業を行う。
【０１０３】
そして、図６及び図７に示すように、端部止め具４の第一垂直面部３１がロングスライドベース３の返し部２５に当接する位置まで移動させネジ３６をきつく締めることで、第一平面部３２とフランジナット３８のフランジ部３８ａでロングスライドベース３のスライド面２２をしっかりと挟み込み固定する。こうして、全てのロングスライドベース３に端部止め具４を固定する。
【０１０４】
次に、二つのロングスライドベース３の前方Ｂ１に固定された端部止め具４の係止部４２とスライド面２２によって形成されている係止溝４３に第一段目のＰＶモジュール６−１の下段の長辺９の縁部９ａを挿入して支持させる。このとき、縁部９ａが端部止め具４の係止部４２の裏面４４に設けられた保護部材４５に当接するように奥まで挿入する。そして、第一段目のＰＶモジュール６−１を二つのロングスライドベース３の左右のスライド面２２上に載置する。
【０１０５】
次に、上記のように中間止め具５の二つの長孔５１に座金３９を介してネジ３６を挿通し、そのネジ３６にフランジナット３８を緩く螺合した中間止め具５を、設置したロングスライドベース３の数だけ用意する。そして、全てのロングスライドベース３における左右のスライド面２２の後方Ｂ２側に形成されたスライド孔２３ｂの拡幅部２４に、中間止め具５に連結されたフランジナット３８をくぐらせる作業を行う。
【０１０６】
そして、二つの中間止め具５をスライド面２２の前方Ｂ１にスライドさせて、図６及び図９に示すように、第一段目のＰＶモジュール６−１の上段の長辺９の縁部９ａを中間止め具５の係止部５３とスライド面２２によって形成されている係止溝５４ａに挿入して支持させる。このとき、縁部９ａが中間止め具５の係止部５３裏面５５に設けられた保護部材５６に当接するように奥まで挿入する。
【０１０７】
そして、中間止め具５のネジ３６をきつく締めることで第一平面部４８とフランジナット３８のフランジ部３８ａでスライド面２２をしっかりと挟み込み固定する。こうして、全てのロングスライドベース３に中間止め具５を固定することで、ロングスライドベース３に第一段目のＰＶモジュール６−１を固定することができ、第一段目のＰＶモジュール６−１の屋根材１０３−１，１０３−２上への設置が終了する。
【０１０８】
尚、本実施形態では、図１０に示すように、第一段目のＰＶモジュール６−１の上下段の長辺９の縁部９ａを二つの端部止め具４及び中間止め具５で固定しているが、三つ以上の端部止め具４及び中間止め具５で固定するようにしてもよい。
【０１０９】
次に、ショートスライドベース６２を用いて屋根材１０３上に第二段目（第一段目の上段）のＰＶモジュール６−２を設置する。その設置は、第三段目の屋根材１０３−３及び第四段目の屋根材１０３−４の設置と同時に行う。
【０１１０】
まず、第三段目の屋根材１０３−３及び第四段目の屋根材１０３−４を屋根１０１の桁行方向Ｅに葺く。このとき、第二段目の屋根材１０３−２のハゼ部１０４−２に設置した架台２の係止部１５は、図６及び図９に示すように、第三段目の屋根材１０３−３の係止部１０５−３が被せられるとともに、その係止部１０５−３と係止する。
【０１１１】
その後、第四段目の屋根材１０３−４のハゼ部１０４−４に、架台２の係止部１５を被せて係止させながら架台２を設置する。そして、ネジ孔１９を介してネジ２０により架台２を屋根下地１０２上に固定する。このようにして、図１０に示すように、屋根１０１の桁行方向Ｅに複数の架台２を設置する。
【０１１２】
このとき、第四段目の屋根材１０３−４のハゼ部１０４−４に設置する架台２が、第一段目の屋根材１０３−１のハゼ部１０４−１や第二段目の屋根材１０３−２のハゼ部１０４−２に設置した架台２と屋根１０１の軒棟方向（傾斜方向）Ｆになるべく一列に並ぶように設置する。
【０１１３】
次に、ショートスライドベース６２を架台２に固定する。具体的には、図６に示すように、架台２の突出部１３の載置面１２上にショートスライドベース６２の連結板６９を載置し、架台２の突出部１３のネジ孔１４とショートスライドベース６２の固定孔７０の位置を合わせ、座金３０を介して固定孔７０にボルト２９を挿通し、ボルト２９をネジ孔１４に螺合することで固定する。このとき、第四段目の屋根材１０３−４の係止部１０５−４に、ショートスライドベース６２の返し部６８を被せて係止させながら載置する。
【０１１４】
そして、上記のように中間止め具５の二つの長孔５１に座金３９を介してネジ３６を挿入し、そのネジ３６にフランジナット３８を緩く螺合した中間止め具５を、設置したショートスライドベース６２の数だけ用意する。そして、全てのショートスライドベース６２における左右のスライド面６４の後方ｂ２側に形成されたスライド孔６５ｂの拡幅部６６に、中間止め具５に連結されたフランジナット３８をくぐらせる作業を行う。
【０１１５】
そして、図６及び図９に示すように、既に設置された二つのロングスライドベース３のスライド孔２３ｂに固定されている中間止め具５の係止部５３とスライド面２２によって形成されている係止溝５４ｂに、第二段目のＰＶモジュール６−２の下段の長辺９の縁部９ａを挿入して支持させる。このとき、縁部９ａが中間止め具５の保護部材５６に当接するように奧まで挿入する。そして、第二段目のＰＶモジュール６−２を二つのロングスライドベース３の左右のスライド面２２上及び二つのショートスライドベース６２の左右のスライド面６４上に載置する。
【０１１６】
そして、ショートスライドベース６２のスライド孔６５ｂに設置した二つの中間止め具５をスライド面６４の前方ｂ１にスライドさせて、図６に示すように、第二段目のＰＶモジュール６−２の上段の長辺９の縁部９ａを中間止め具５とスライド面６４によって形成されている係止溝７１ａに挿入して支持させる。このとき、縁部９ａが中間止め具５の係止部５３の保護部材５６に当接するように奥まで挿入する。
【０１１７】
そして、中間止め具５のネジ３６をきつく締めることで第一平面部４８とフランジナット３８のフランジ部３８ａでスライド面６４をしっかりと挟み込み固定する。こうして、全てのショートスライドベース６２に中間止め具５を固定することで、ロングスライドベース３及びショートスライドベース６２に第二段目のＰＶモジュール６−２を固定することができ、第二段目のＰＶモジュール６−２の屋根材１０３−３，１０３−４上への設置が終了する。尚、本実施形態では、図１０に示すように、第二段目のＰＶモジュール６−２の上段の長辺９の縁部９ａを二つの中間止め具５で固定しているが、三つ以上の中間止め具５で固定するようにしてもよい。
【０１１８】
もし、第二段目のＰＶモジュール６−２の上段の長辺９の縁部９ａの位置が、ショートスライドベース６２のスライド孔６５ｂに設置した中間止め具５の支持可能範囲内に無い場合、つまり第二段目のＰＶモジュール６−２の上段の長辺９の縁部９ａの位置がショートスライドベース６２のスライド面６４の前方ｂ１すぎてスライド孔６５ｂに設置した中間止め具５の係止部５３とスライド面６４によって形成されている係止溝７１ａで支持できない場合には、スライド孔６５ｂから中間止め具５を外してスライド孔６５ａに設置し直し、再度ショートスライドベース６２の中間止め具５をスライド面６４の前方ｂ１にスライドさせて、第二段目のＰＶモジュール６−２の上段の長辺９の縁部９ａを係止溝７１ａに挿入する作業を行う。
【０１１９】
尚、ショートスライドベース６２を用いて屋根材１０３上に第三段目以降のＰＶモジュール６を設置する場合には、上記のように屋根材１０３を屋根１０１の桁行方向Ｅに葺きながら架台２を設置する。そして、ショートスライドベース６２をその架台２に固定し、そのショートスライドベース６２のスライド孔６５ａ，６５ｂのいずれかに端部止め具４または中間止め具５を設置する。
【０１２０】
そして、既に設置されている下段に位置するロングスライドベース３に固定された中間止め具５の係止部５３とスライド面２２によって形成される係止溝５４ｂ、またはショートスライドベース６２に固定された中間止め具５の係止部５３とスライド面６４によって形成される係止溝７１ｂに、ＰＶモジュール６の下段の長辺９の縁部９ａを挿入して支持させるとともに、新たに設置するショートスライドベース６２に固定される端部止め具４の係止部４２または中間止め具５の係止部５３とスライド面６４によって形成される係止溝にＰＶモジュール６の上段の長辺９の縁部９ａを挿入して支持させる。そして、ショートスライドベース６２に端部止め具４または中間止め具５を固定することでＰＶモジュール６の屋根材１０３上への設置が終了する。
【０１２１】
一方、本実施形態のようにショートスライドベース６２を用いてではなくロングスライドベース３を用いて屋根材１０３上に第二段目以降のＰＶモジュール６を設置する場合には、以下のような手順で作業を行う。まず、上記のように屋根材１０３を屋根１０１の桁行方向Ｅに葺きながら架台２を設置する。そして、ロングスライドベース３を架台２に固定し、そのスライド孔２３ａ，２３ｂのいずれかに端部止め具４または中間止め具５を設置する。
【０１２２】
そして、既に設置されている下段に位置するロングスライドベース３に固定された中間止め具５の係止部５３とスライド面２２によって形成される係止溝５４ｂ、またはショートスライドベース６２に固定された中間止め具５の係止部５３とスライド面６４によって形成される係止溝７１ｂに、ＰＶモジュール６の下段の長辺９の縁部９ａを挿入して支持させるとともに、新たに設置するロングスライドベース３に固定される端部止め具４の係止部４２または中間止め具５の係止部５３とスライド面６４によって形成される係止溝４３，５４ａにＰＶモジュール６の上段の長辺９の縁部９ａを挿入して支持させる。そして、ロングスライドベース３に端部止め具４または中間止め具５を固定することでＰＶモジュール６の屋根材１０３上への設置が終了する。
【０１２３】
尚、上記のように、ＰＶモジュール６を屋根１０１の軒棟方向Ｆに連続して設置する場合には、屋根材１０３の働き幅やＰＶモジュール６の大きさ等を考慮して、上記ロングスライドベース３を用いた設置方法とショートスライドベース６２を用いた設置方法のどちらが適しているかを適宜選択して施工する。また、本実施形態では、一番軒側にロングスライドベース３を設置して屋根材１０３上に第一段目（最も軒側）のＰＶモジュール６−１を設置しているが、一番軒側にショートスライドベース６２を設置して屋根材１０３上に第一段目のＰＶモジュール６−１を設置してもよい。
【符号の説明】
【０１２４】
１      取付構造                    ４３    係止溝
２      架台                        ４４    裏面
３      ロングスライドベース        ４５    保護部材
４      端部止め具                  ４６    突出部
５      中間止め具                  ４８    第一平面部
６      ＰＶモジュール              ４９    垂直面部
１２    載置面                      ５０    第二平面部
１３    突出部                      ５１    長孔
１４    ネジ孔                      ５２    裏面
１５    係止部                      ５３    係止部
１６    傾斜面                      ５４    係止溝
１８    固定面                      ５５    裏面
１９    ネジ孔                      ５６    保護部材
２０    ネジ                        ５８    突出部
２１    レール部                    ６２    ショートスライドベース
２２    スライド面                  ６３    レール部
２３    スライド孔                  ６４    スライド面
２４    拡幅部                      ６５    スライド孔
２５    返し部                      ６６    拡幅部
２６    連結板                      ６８    返し部
２８    固定孔                      ６９    連結板
２９    ボルト                      ７０    固定孔
３０    座金                        ７１    係止溝
３１    第一垂直面部                ７２    側面部
３２    第一平面部                  １０１  屋根
３３    第二垂直面部                １０２  屋根下地
３４    第二平面部                  １０３  横葺き屋根材
３５    長孔                        １０４  ハゼ部
３６    ネジ                        １０５  係止部
３８    フランジナット
３９    座金
４０    裏面
４１    側面部
４２    係止部
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
載置面及び係止部を有する架台と、止め具と、スライド孔及び固定孔を有するロングスライドベース及びショートスライドベースのうちのいずれか一方または双方とによって屋根に葺かれた横葺き屋根材上に太陽電池モジュールを設置するための取付構造であって、前記スライド孔及び前記固定孔は前記ロングスライドベース及び前記ショートスライドベースの長手方向に延びる長孔であり、前記スライド孔が形成された平面が前記固定孔が形成された平面よりも上方に位置しており、前記架台の前記係止部を前記横葺き屋根材のハゼ部に係止しつつ前記架台を屋根下地に固定して前記架台を前記横葺き屋根材上に設置し、前記スライド孔に前記止め具が固定された前記ロングスライドベースまたは前記ショートスライドベースの返し部を前記横葺き屋根材の係止部に係止するとともに前記ロングスライドベースまたは前記ショートスライドベースを前記架台の前記載置面に載置して前記固定孔を介して前記架台に固定することで前記ロングスライドベースまたは前記ショートスライドベースを屋根の軒棟方向に固定し、前記止め具によって前記太陽電池モジュールを前記ロングスライドベースまたは前記ショートスライドベースに固定することを特徴とする太陽電池モジュールの取付構造。
【請求項２】
前記止め具を前記ロングスライドベースまたは前記ショートスライドベースに固定するために前記止め具に形成された長孔が、前記止め具の長さ方向に延びる長孔であることを特徴とする請求項１に記載の太陽電池モジュールの取付構造。
【請求項３】
前記ロングスライドベース及び前記ショートスライドベースのレール部の幅よりも長い長軸を有する平面視略楕円形状のフランジ部が設けられたフランジナットとネジによって、前記止め具を前記ロングスライドベースまたは前記ショートスライドベースの前記レール部の平面に形成された前記スライド孔に固定することを特徴とする請求項１または請求項２に記載の太陽電池モジュールの取付構造。
【請求項４】
前記スライド孔が、前記フランジナットを挿入可能な拡幅部を有することを特徴とする請求項３に記載の太陽電池モジュールの取付構造。
【請求項５】
前記止め具が、前記太陽電池モジュールを前記ロングスライドベースまたは前記ショートスライドベースに固定するための係止部を有し、該係止部の裏面が弾性体で形成された保護部材で覆われていることを特徴とする請求項１ないし請求項４までのいずれか１項に記載の太陽電池モジュールの取付構造。
【手続補正２】
【補正対象書類名】明細書
【補正対象項目名】全文
【補正方法】変更
【補正の内容】
【発明の詳細な説明】
【技術分野】
【０００１】
本発明は、太陽電池モジュールの取付構造、詳しくは屋根への太陽電池モジュールの設置が容易な太陽電池モジュールの取付構造に関する。
【背景技術】
【０００２】
近年、地球環境に配慮したクリーンエネルギーである太陽光を利用して発電を行い、二酸化炭素（ＣＯ2 ）の排出量を減らそうとするエコの意識が世の中で高まっている。そのため、自宅の屋根の屋根材の上に太陽光で発電する太陽電池モジュールを設置し、調理、給湯、空調などのシステムをすべて電気でまかなう住宅が年々増加している。
【０００３】
そして、自宅の屋根の屋根材の上に太陽電池モジュールを設置する方法としては、特許文献１に示すように、屋根材であるスレート瓦の上に軒先取付け金具や中間取付金具を複数設置し、これらの取付金具によって支持しながら太陽電池モジュールを設置する取付け具が開示されている。
【先行技術文献】
【特許文献】
【０００４】
【特許文献１】特開２０１１−１６３０６０号公報
【０００５】
しかし、上記の取付け具は、屋根に設置するスレート瓦の働き幅やその上に設置する太陽電池モジュールの大きさに合わせて形成されているため、働き幅が異なる屋根材や大きさの異なる太陽電池モジュールには使用できないという不都合もあった。
【０００６】
また、従来の太陽電池モジュールの取付け具は、金属製の屋根材に取付け孔を設けてネジ等により太陽電池モジュールの取付け具を屋根材に固定し、太陽電池モジュールを設置する構造であるため、雨水により屋根材の取付け孔の周辺及びネジ等が腐食し、更には取付け孔からの雨水の浸入による雨漏りや屋根下地の腐食が生じていた。また、従来の太陽電池モジュールの取付け具は構造が複雑で部品数も多いため、太陽電池モジュールの設置に多くの時間を要していた。
【発明の概要】
【発明が解決しようとする課題】
【０００７】
そこで本発明は、上記のような従来の欠点を解消するものであって、構造が簡単であるとともに太陽電池モジュールの設置が容易で、横葺き屋根材の働き幅の長さに対応して太陽電池モジュールを設置することができるとともに、太陽電池モジュールの大きさにも対応して横葺き屋根材の上に設置でき、更には太陽電池モジュールの設置後も横葺き屋根材等の腐食や雨漏りを防止することができる取付構造を提供することを目的とする。
【課題を解決するための手段】
【０００８】
上記の目的を達成するため、本願の請求項１に係る発明は、載置面及び係止部を有する架台と、止め具と、スライド孔及び固定孔を有するロングスライドベース及びショートスライドベースのうちのいずれか一方または双方とによって屋根に葺かれた横葺き屋根材上に太陽電池モジュールを設置するための取付構造であって、前記スライド孔及び前記固定孔は前記ロングスライドベース及び前記ショートスライドベースの長手方向に延びる長孔であり、前記スライド孔が形成された平面が前記固定孔が形成された平面よりも上方に位置しており、前記架台の前記係止部を前記横葺き屋根材のハゼ部に係止しつつ前記架台を屋根下地に固定して前記架台を前記横葺き屋根材上に設置し、前記スライド孔に前記止め具が固定された前記ロングスライドベースまたは前記ショートスライドベースの返し部を前記横葺き屋根材の係止部に係止するとともに前記ロングスライドベースまたは前記ショートスライドベースを前記架台の前記載置面に載置して前記固定孔を介して前記架台に固定することで前記ロングスライドベースまたは前記ショートスライドベースを屋根の軒棟方向に固定し、前記止め具によって前記太陽電池モジュールを前記ロングスライドベースまたは前記ショートスライドベースに固定することを特徴とする。
【０００９】
また、本願の請求項２に係る発明は、前記止め具を前記ロングスライドベースまたは前記ショートスライドベースに固定するために前記止め具に形成された長孔が、前記止め具の長さ方向に延びる長孔であることを特徴とする。
【００１０】
また、本願の請求項３に係る発明は、前記ロングスライドベース及び前記ショートスライドベースのレール部の幅よりも長い長軸を有する平面視略楕円形状のフランジ部が設けられたフランジナットとネジによって、前記止め具を前記ロングスライドベースまたは前記ショートスライドベースの前記レール部の平面に形成された前記スライド孔に固定することを特徴とする。
【００１１】
また、本願の請求項４に係る発明は、前記スライド孔が、前記フランジナットを挿入可能な拡幅部を有することを特徴とする。
【００１２】
また、本願の請求項５に係る発明は、前記止め具が、前記太陽電池モジュールを前記ロングスライドベースまたは前記ショートスライドベースに固定するための係止部を有し、該係止部の裏面が弾性体で形成された保護部材で覆われていることを特徴とする。
【発明の効果】
【００１３】
上記より、請求項１及び請求項２に係る発明によれば、構造が簡単であるとともに横葺き屋根材上に連続して太陽電池モジュールを容易に設置することができるため、作業者の屋根上での作業時間を短縮でき作業者の安全を図ることができる。また、横葺き屋根材に取付け孔等を設けずに屋根に横葺き屋根材を固定しつつ葺き上げることができるため、太陽電池モジュールの設置後も雨水による横葺き屋根材の腐食を防止できるとともに雨漏りも防止することができる。
【００１４】
また、構造や使用する部材を変更することなく太陽電池モジュールの大きさに対応して横葺き屋根材上に太陽電池モジュールを設置することができるとともに、横葺き屋根材の働き幅の長さに対応して太陽電池モジュールを設置することができる。
【００１５】
また、請求項３及び請求項４に係る発明によれば、ロングスライドベースまたはショートスライドベースへの止め具の固定が容易になるため、太陽電池モジュールの設置時間が短縮でき上記と同様に作業者の安全を図ることができる。
【００１６】
また、請求項５に係る発明によれば、係止部の裏面に保護部材を設けたことで、設置する太陽電池モジュールと保護部材が密着するため、がたつくことが無く安定した太陽電池モジュールの設置が可能となる。
【図面の簡単な説明】
【００１７】
【図１】本発明の取付構造に使用する架台の斜視図である。
【図２】本発明の取付構造に使用する端部止め具の斜視図である。
【図３】本発明の取付構造に使用する中間止め具の斜視図である。
【図４】本発明の取付構造に使用する架台、端部止め具、中間止め具及びロングスライドベースの設置態様を示す斜視図である。
【図５】本発明の取付構造に使用するショートスライドベースの斜視図である。
【図６】本発明の取付構造によって太陽電池モジュールを設置した状態を示す縦断面図である。
【図７】図６に示すＩの部分拡大図である。
【図８】図６に示すIIの部分拡大図である。
【図９】図６に示すIIIの部分拡大図である。
【図１０】本発明の取付構造によって太陽電池モジュールを設置した状態を示す外観斜視図である。
【発明を実施するための形態】
【００１８】
以下、本発明を図１ないし図１０に従って詳細に説明する。尚、以下で本発明に係る実施形態を詳細に説明するが、本発明はこれに限定されるものではない。
【００１９】
本発明に係る太陽電池モジュールの取付構造（以下「取付構造」という）１は、屋根１０１の屋根下地１０２である野地板１０２ａや防水シート１０２ｂの上に葺かれた薄い金属板等で形成された横葺き屋根材（以下「屋根材」という）１０３の上に、架台２、ロングスライドベース３、ショートスライドベース６２、端部止め具４及び中間止め具５を介して太陽電池モジュール（以下「ＰＶモジュール」という）６を設置する構造である。
【００２０】
ＰＶモジュール６は、一般に使用されている単結晶シリコン系のＰＶモジュールや多結晶シリコン系のＰＶモジュールである。そして、このＰＶモジュール６は、縦方向の一対の短辺８及び横方向の一対の長辺９を有する平面視略長方形状であって、薄板状に形成されたものである。また、表面１０側には太陽電池セルが配置され、裏面１１側には電極ボックスが配置されるとともに、その電極ボックスから他のＰＶモジュール６と電気的に接続するための端子ケーブルが伸びている（図示せず）。
【００２１】
２は、野地板１０２ａと防水シート１０２ｂによって形成される屋根下地１０２上に葺かれた屋根材１０３に設置する架台である。この架台２は、図１に示すように、横長略長方形状の薄い金属製の平板を折り曲げて形成されている。架台２の長手方向Ａの前方Ａ１には、以下で詳述するロングスライドベース３を載置して固定するための載置面１２を有する突出部１３が上方へ向けて凸状に形成されている。また、載置面１２は平面であるとともに、その中央にはロングスライドベース３を固定するためのネジ孔１４が設けられている。
【００２２】
また、架台２の長手方向Ａの中央には屋根材１０３のハゼ部１０４に被せて係止させるための係止部１５が設けられている。この係止部１５は、上方へ向けて断面略Ｓ字状に折り曲げられているとともに、架台２の後方Ａ２にかけて下降傾斜する傾斜面１６が形成されている。また、架台２の後方Ａ２には平らな固定面１８が設けられ、その固定面１８には架台２を屋根下地１０２上に固定するためのネジ孔１９が三つ設けられている。
【００２３】
上記構造により、図６及び図８に示すように、屋根下地１０２上に設置された屋根材１０３のハゼ部１０４に架台２の係止部１５を被せて係止させながら屋根下地１０２上に架台２の固定面１８を載置し、ネジ孔１９を介してネジ２０等により架台２を屋根下地１０２上に固定することができる。
【００２４】
このように架台２を屋根下地１０２上に固定することで、屋根材１０３のハゼ部１０４及びその周辺が架台２により上から押さえつけられるため、屋根材１０３も屋根下地１０２上に固定することが可能となる。そのため、屋根材１０３の腐食の原因となるネジ孔等を設けずに屋根材１０３を屋根下地１０２上に葺き上げることができる。
【００２５】
また、架台２の係止部１５は、図６及び図８に示すように、その架台２を設置した屋根材１０３の上段に設置する屋根材１０３の係止部１０５が被せられるとともに、その係止部１０５と係止する。そのため、屋根材１０３を普段の場合と同様に葺き上げることが可能であり、ＰＶモジュール６の設置後も屋根１０１の防水性を保つことができる。
【００２６】
３は、屋根材１０３に設置された架台２の載置面１２に載置し固定するためのロングスライドベースである。このロングスライドベース３は、全長が約４６０ｍｍ、幅が７０ｍｍ程度であり、図４に示すように、薄い金属製の平板を折り曲げて形成されている。また、ロングスライドベース３には、左右に断面略コの字状の細長いレール部２１が平行に設けられている。
【００２７】
また、左右のレール部２１の上面には平らなスライド面２２が設けられ、そのスライド面２２には二つのスライド孔２３ａ，２３ｂが形成されている。これらのスライド孔２３ａ，２３ｂは、以下で詳述するＰＶモジュール６を支持し固定する端部止め具４や中間止め具５を固定するとともに、端部止め具４や中間止め具５がレール部２１のスライド面２２上を長手方向Ｂにスライド可能とするための孔である。
【００２８】
また、端部止め具４や中間止め具５がレール部２１のスライド面２２上のほぼ全域に亘って移動可能とすべく、幅が狭くて細長いスライド孔２３ａ，２３ｂが左右のレール部２１のスライド面２２の長手方向Ｂ（ロングスライドベース３の長手方向Ｂ）に延び、そのスライド面２２のほぼ全長に亘って形成されている。具体的には、スライド孔２３ａはスライド面２２の前方Ｂ１の端部付近から真ん中付近にかけて形成され、スライド孔２３ｂはスライド面２２の後方Ｂ２の端部付近から真ん中付近にかけて形成されている。
【００２９】
また、スライド孔２３ａ，２３ｂは、幅の広い略正方形状の拡幅部２４を有するため、全体の形状がかなづち状であり、スライド孔２３ａでは拡幅部２４がスライド面２２の前方Ｂ１の端部付近に、スライド孔２３ｂでは拡幅部２４がスライド面２２の後方Ｂ２の端部付近に形成されている。
【００３０】
上記構造により、端部止め具４や中間止め具５の固定する位置を、ロングスライドベース３のレール部２１のスライド面２２上で長手方向Ｂに変更可能であるため、ＰＶモジュール６の大きさに対応させながらＰＶモジュール６をロングスライドベース３に固定することができる。
【００３１】
また、スライド孔２３ａ，２３ｂを拡幅部２４を有するかなづち状としたことで、以下で詳述するようにロングスライドベース３への端部止め具４及び中間止め具５の固定が容易になり、作業者の屋根上での作業時間を短縮できるため作業者の安全を図ることができる。
【００３２】
尚、本実施形態に係る取付構造１で使用するロングスライドベース３のスライド孔２３ａ，２３ｂの拡幅部２４は略正方形状であるが、ある一定の幅があれば円形状や多角形状であってもよい。また、拡幅部２４の位置は、スライド面２２の前方Ｂ１の端部付近や後方Ｂ２の端部付近に形成されているが、それ以外の場所に形成されていてもよい。
【００３３】
但し、以下で詳述するロングスライドベース３への端部止め具４及び中間止め具５の固定作業を容易にするため、左右のレール部２１のスライド面２２に形成されたスライド孔２３ａのそれぞれの拡幅部２４の位置、及びスライド孔２３ｂのそれぞれの拡幅部２４の位置は揃えることが望ましい。
【００３４】
また、スライド孔２３ａ，２３ｂはスライド面２２の中央でつながり、一つのスライド孔として形成されていてもよい。
【００３５】
ロングスライドベース３の左右のレール部２１の前方Ｂ１の先端部には、屋根材１０３の係止部１０５に被せて係止させるための返し部２５が設けられている。この返し部２５は、レール部２１のスライド面２２の先端部から垂下するとともに後方Ｂ２へ向けて水平に折り曲げられ側面視略Ｌ字状に形成されている。
【００３６】
また、左右のレール部２１，２１の間には、お互いのレール部２１を連結する連結板２６が設けられている。この連結板２６は平らであり、その中央やや前方Ｂ１寄りの位置及び後方Ｂ１の端部付近の位置にそれぞれ横長略楕円形状の固定孔２８が形成されている。この固定孔２８は連結板２６の長手方向Ｂに延びるように形成されているため、ロングスライドベース３の架台２への固定が可能となっている。
【００３７】
具体的には、図４に示すように、二つの架台２を一列に並べ、突出部１３の載置面１２にロングスライドベース３の連結板２６を載置し、連結板２６の固定孔２８から架台２の突出部１３のネジ孔１４が見えるようにロングスライドベース３の位置を調整する。そして、ロングスライドベース３の固定孔２８に座金３０を介してボルト２９を挿通し、架台２のネジ孔１４に螺合することで、架台２にロングスライドベース３を固定することができる。
【００３８】
また、固定孔２８はロングスライドベース３の長手方向Ｂに延びるように形成されているため、架台２の位置の変化に対応可能となっている。つまり、図６に示すように、第一段目（最も軒側）のＰＶモジュール６−１を設置する第一段目（最も軒側）の屋根材１０３−１の係止部１０５−１とその屋根材１０３−１のハゼ部１０４−１に設置した架台２との間隔、及び第一段目の屋根材１０３−１のハゼ部１０４−１に設置した架台２と第二段目（第一段目の上段）の屋根材１０３−２のハゼ部１０４−２に設置した架台２との間隔は、屋根材１０３の働き幅の長さによって変化するが、本発明に係る取付構造１によれば、その変化に対応して架台２にロングスライドベース３を固定することができ、ひいてはＰＶモジュール６の設置が可能となる。
【００３９】
４は、略長方形状の薄い金属製の平板を折り曲げて形成された端部止め具であって、一番軒側または一番棟側に設置されたロングスライドベース３またはショートスライドベース６２にＰＶモジュール６を固定するための部材である。そしてその端部止め具４は、図２に示すように、階段状に折り曲げられており、第一垂直面部３１、第一平面部３２、第二垂直面部３３、第二平面部３４を有する。また、折り曲げの角度は、全ての角度が９０度になるように形成されている。
【００４０】
また、第一平面部３２には、端部止め具４の長さ方向Ｃ２に延びる横長略楕円形状の長孔３５が形成されている。この長孔３５は、ＰＶモジュール６を支持する端部止め具４をロングスライドベース３またはショートスライドベース６２に固定するとともに、端部止め具４がロングスライドベース３のスライド面２２上またはショートスライドベース６２のスライド面６４上を長手方向Ｂ，ｂにスライド可能とするための孔である。そのため、ロングスライドベース３に形成された二つのスライド孔２３ａ（２３ｂ）の間隔及び以下に詳述するショートスライドベース６２に形成された二つのスライド孔６５ａ（６５ｂ）の間隔と同じ間隔を端部止め具４の幅方向Ｃ１に空けて二つの長孔３５が第一平面部３２の両端付近に形成されている。
【００４１】
よって、ＰＶモジュール６の短辺８の長さに対応させながら端部止め具４をロングスライドベース３またはショートスライドベース６２に固定することができるため、大きさの異なる多くの種類のＰＶモジュール６を屋根材１０３上に設置することができる。
【００４２】
ここで、端部止め具４のロングスライドベース３への具体的な固定方法を説明すると、図４に示すように、まず事前に端部止め具４の二つの長孔３５に座金３９を介してネジ３６を挿通し、そのネジ３６に楕円形状のフランジ部３８ａを有するフランジナット３８を緩く螺合させておく。
【００４３】
このように緩く螺合させた状態とするのは、端部止め具４の第一平面部３２の裏面４０とフランジナット３８のフランジ部３８ａとの間隔を広くしておくことで、以下に詳述するロングスライドベース３のスライド孔２３ａ，２３ｂにフランジナット３８をくぐらせる作業を容易にするためである。
【００４４】
次に、ロングスライドベース３のスライド面２２の前方Ｂ１側に形成されたスライド孔２３ａに端部止め具４に連結されたフランジナット３８をくぐらせる作業を行う。まず、端部止め具４の第一垂直面部３１をロングスライドベース３の返し部２５と同じ側に向けて平行にしつつ、ロングスライドベース３の前方Ｂ１の端部付近のスライド面２２と端部止め具４の第一平面部３２の裏面４０とを対峙させる。
【００４５】
そして、端部止め具４の第一平面部３２とフランジナット３８のフランジ部３８ａの間隔をできるだけ広く保ち、左右のスライド面２２のスライド孔２３ａの拡幅部２４にフランジナット３８を同時にくぐらせる。
【００４６】
このとき、略正方形状の拡幅部２４の一辺は、フランジナット３８のフランジ部３８ａの短軸の長さよりも長いが長軸の長さよりも短く設定されている。そのため、まずフランジ部３８ａの長軸をロングスライドベース３のレール部２１の長手方向Ｂに向け、次に拡幅部２４に対してフランジ部３８ａを傾斜させてフランジ部３８ａの長軸方向の端部から拡幅部２４に挿入する。そして、ネジ３６をネジ孔２３ａの後方Ｂ２へスライドさせることで、フランジ部３８ａ（フランジナット３８）を拡幅部２４に完全にくぐらせることができる。
【００４７】
フランジナット３８をくぐらせた後は、端部止め具４がロングスライドベース３のスライド面２２上をスライド可能な状態となる。具体的には、端部止め具４の第一垂直面部３１がロングスライドベース３の返し部２５と当接した状態から、端部止め具４の長孔３５の第二垂直面部３３側の端部とロングスライドベース３のスライド孔２３ａの前方Ｂ１の端部とによってネジ３６が挟まれる状態となるまで、端部止め具４をスライドさせることができる。
【００４８】
そして、端部止め具４をロングスライドベース３のスライド面２２上の所望の位置まで移動させ、ネジ３６をきつく締めて端部止め具４の第一平面部３２とフランジナット３８のフランジ部３８ａでスライド面２２をしっかりと挟み込むことで、ロングスライドベース３に端部止め具４を固定する。
【００４９】
尚、フランジナット３８に螺合したネジ３６をきつく締めるときに、ネジ３６を回すとフランジナット３８も同じ方向に回転しようとするが、フランジナット３８のフランジ部３８ａの長軸の長さがロングスライドベース３のレール部２１の幅Ｗよりも長いため、フランジナット３８の回転がレール部２１の側面部４１によって遮られる。そのため、ネジ３６を回すだけでネジ３６をきつく締めることが可能となっている。
【００５０】
また、スライド孔２３ａの拡幅部２４の位置でネジ３６をきつく締める場合であっても、端部止め具４の第一平面部３２とフランジナット３８のフランジ部３８ａとの間に、略正方形状の拡幅部２４の周辺のスライド面２２をもぐり込ませて挟むことが可能であるため、問題なくロングスライドベース３に端部止め具４を固定することができる。
【００５１】
上記のように、フランジ部３８ａを有するフランジナット３８をスライド孔２３ａに挿入することができるとともに、ネジ３６を回すだけでネジ３６をきつく締めることができる構造であるため、ロングスライドベース３への端部止め具４の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００５２】
また、上記のようにロングスライドベース３に端部止め具４を固定することで、図６及び図７に示すように、レール部２１のスライド面２２と、端部止め具４の第二垂直面部３３及び第二平面部３４により形成される係止部４２とによって、ＰＶモジュール６の長辺９の縁部９ａを挿入するための係止溝４３が形成される。
【００５３】
また、図２に示すように、第二垂直面部３３と第二平面部３４により形成される係止部４２の裏面４４には、そのほぼ全面を覆うようにゴム等の弾性体で形成された保護部材４５が設けられている。そのため、ＰＶモジュール６を傷つけることなく支持するとともにロングスライドベース３に設置し固定することができる。また、保護部材４５は弾性を有するため、ＰＶモジュール６の長辺９の縁部９ａを係止溝４３の奥まで挿入した場合には、保護部材４５がＰＶモジュール６の長辺９の縁部９ａと当接し変形して密着するため、がたつくことが無く安定した固定が可能となる。
【００５４】
尚、端部止め具４の強度を保つため、第二平面部３４から第二垂直面部３３及び第一平面部３２を通って第一垂直面部３１へ延びる突出部４６が設けられている。この突出部４６は、断面略半楕円形状であって上方へ向けて突出し、二本の長孔３５内側に設けられている。
【００５５】
５は略長方形状の薄い金属製の平板を折り曲げて作成された中間止め具であって、屋根材１０３上に設置されたロングスライドベース３またはショートスライドベース６２にＰＶモジュール６を固定するための部材である。
【００５６】
そしてその中間止め具５は、図３に示すように、真ん中が窪んだ形に折り曲げられている。具体的には、第一平面部４８の両端には第一平面部４８に対して垂直に延びる垂直面部４９がそれぞれ設けられ、その両垂直面部４９，４９の上端から第一平面部４８に対して水平に外側に向けて延びる第二平面部５０がそれぞれ設けられており、左右対称に形成されている。また、全ての角部の角度が９０度になるように形成されている。
【００５７】
また、第一平面部４８には、中間止め具５の長さ方向Ｄ２に延びる横長略楕円形状の長孔５１が形成されている。この長孔５１は、ＰＶモジュール６を支持する中間止め具５をロングスライドベース３またはショートスライドベース６２に固定するとともに、中間止め具５がロングスライドベース３のスライド面２２またはショートスライドベース６２のスライド面６４上を長手方向Ｂ，ｂにスライド可能とするための孔である。そのため、ロングスライドベース３に形成された二つのスライド孔２３ａ（２３ｂ）の間隔及び以下に詳述するショートスライドベース６２に形成された二つのスライド孔６５ａ（６５ｂ）の間隔と同じ間隔を中間止め具５の幅方向Ｄ１に空けて二つの長孔３５が第一平面部４８の両端付近に形成されている。
【００５８】
よって、ＰＶモジュール６の短辺８の長さに対応させながら中間止め具５をロングスライドベース３またはショートスライドベース６２に固定することができるため、大きさの異なる多くの種類のＰＶモジュール６を屋根材１０３上に設置することができる。
【００５９】
ここで、中間止め具５のロングスライドベース３への具体的な固定方法を説明すると、端部止め具４の場合と同様に、まず事前に中間止め具５の二つの長孔５１に座金３９を介してネジ３６を挿通し、そのネジ３６に楕円形状のフランジ部３８ａを有するフランジナット３８を緩く螺合させておく。
【００６０】
次に、ロングスライドベース３のスライド面２２の後方Ｂ２側に形成されたスライド孔２３ｂに、中間止め具５に連結されたフランジナット３８をくぐらせる作業を行う。まず、ロングスライドベース３の後方Ｂ２の端部付近のスライド面２２と中間止め具５の第一平面部４８の裏面５２とを対峙させつつ、中間止め具５の長さ方向Ｄ２をロングスライドベース３の長手方向Ｂと同じ方向に向ける。
【００６１】
そして、中間止め具５の第一平面部４８とフランジナット３８のフランジ部３８ａの間隔をできるだけ広く保ち、左右のスライド面２２スライド孔２３ｂの拡幅部２４にフランジナット３８を同時にくぐらせる。
【００６２】
このとき、上記端部止め具４をロングスライドベース３に固定する場合と同様に、フランジ部３８ａの長軸をロングスライドベース３のレール部２１の長手方向Ｂに向け、拡幅部２４に対してフランジ部３８ａを傾斜させてフランジ部３８ａの長軸方向の端部から拡幅部２４に挿入する。そして、ネジ３６をネジ孔２３ｂの前方Ｂ１へスライドさせることで、フランジ部３８ａ（フランジナット３８）を拡幅部２４に完全にくぐらせることができる。
【００６３】
フランジナット３８をくぐらせた後は、中間止め具５がロングスライドベース３のスライド面２２上をスライド可能な状態となる。具体的には、スライド面２２の後方Ｂ２の端部付近から中央付近まで中間止め具５をスライドさせることができる。
【００６４】
そして、中間止め具５をロングスライドベース３のスライド面２２上の所望の位置まで移動させ、ネジ３６をきつく締めて中間止め具５の第一平面部４８とフランジナット３８のフランジ部３８ａでスライド面２２をしっかりと挟み込むことで、ロングスライドベース３に中間止め具５を固定する。
【００６５】
尚、フランジナット３８に螺合したネジ３６をきつく締めるときに、ネジ３６を回すだけでネジ３６をきつく締めることができる点、及びスライド孔２３ｂの拡幅部２４の位置であってもロングスライドベース３に中間止め具５を固定することができる点は、上記端部止め具４をロングスライドベース３に固定する場合と同様である。
【００６６】
上記のように、フランジ部３８ａを有するフランジナット３８をスライド孔２３ｂに挿入することができるとともに、ネジ３６を回すだけでネジ３６をきつく締めることができる構造であるため、ロングスライドベース３への中間止め具５の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００６７】
また、上記のようにロングスライドベース３に中間止め具５を固定することで、図６及び図９に示すように、レール部２１のスライド面２２と、中間止め具５の垂直面部４９及び第二平面部５０により形成される係止部５３とによって、ＰＶモジュール６の長辺９の縁部９ａを挿入するための二つの係止溝５４ａ，５４ｂが形成される。
【００６８】
また、図３に示すように、垂直面部４９と第二平面部５０により形成される二つの係止部５３の裏面５５には、端部止め具４の場合と同様に、そのほぼ全面を覆うようにゴム等の弾性体で形成された保護部材５６が設けられている。そのため、ＰＶモジュール６を傷つけることなく支持するとともにロングスライドベース３に設置し固定することができる。また、保護部材５６は弾性を有するため、ＰＶモジュール６の長辺９の縁部９ａを係止溝５４ａ，５４ｂの奥まで挿入した場合には、保護部材５６がＰＶモジュール６の長辺９の縁部９ａと当接し変形して密着するため、がたつくことが無く安定した固定が可能となる。
【００６９】
尚、中間止め具５の強度を保つため、一方の第二平面部５０から垂直面部４９、第一平面部４８及び垂直面部４９を通って他方の第二平面部５０へ延びる突出部５８が設けられている。この突出部５８は、断面略半楕円形状であって上方へ向けて突出し、二本の長孔５１の内側に設けられている。
【００７０】
６２はショートスライドベース６２であり、上記のロングスライドベース３と同様に、屋根材１０３に設置された架台２の載置面１２に載置し固定するための部材である。このショートスライドベース６２は、上記のロングスライドベース３と基本的な形状はほぼ同様である。
【００７１】
具体的には、図５に示すように、ショートスライドベース６２も薄い金属製の平板を折り曲げて形成されており、左右に断面略コの字状の細長いレール部６３が平行に設けられている。このショートスライドベース６２は、全長が約２４０ｍｍ程度であり、ロングスライドベース３の約半分の長さである。また、幅は７０ｍｍ程度であり、ロングスライドベース３と同じである。
【００７２】
また、左右のレール部６３の上面には平らなスライド面６４が設けられ、そのスライド面６４には二つのスライド孔６５ａ，６５ｂが形成されている。これらのスライド孔６５ａ，６５ｂは、ＰＶモジュール６を支持する端部止め具４や中間止め具５を固定するとともに、端部止め具４や中間止め具５がレール部６３のスライド面６４上を長手方向ｂにスライド可能とするための孔である。そして、スライド孔６５ａまたはスライド孔６５ｂのどちらかを使用することによって、端部止め具４や中間止め具５をショートスライドベース６２に固定する。
【００７３】
また、端部止め具４や中間止め具５が、レール部６３のスライド面６４上を移動可能とすべく、幅が狭くて細長いスライド孔６５ａ，６５ｂが左右のレール部６３のスライド面６４の長手方向ｂ（ショートスライドベース６２の長手方向ｂ）に延びるように形成されている。具体的には、スライド孔６５ａはスライド面６４のほぼ中央付近に形成され、スライド孔６５ｂはスライド面６４の中央からやや後方ｂ２寄りの位置に形成されており、これら二つのスライド孔６５ａ，６５ｂは近接して形成されている。
【００７４】
また、スライド孔６５ａ，６５ｂは、幅の広い略正方形状の拡幅部６６を有するため、全体の形状がかなづち状であり、スライド孔６５ａではその拡径部６６がスライド孔６５ａの前方ｂ１の端部に、スライド孔６５ｂでは拡径部６６がスライド孔６５ｂの後方ｂ２の端部に形成されている。
【００７５】
上記構造により、端部止め具４や中間止め具５の固定する位置を、ショートスライドベース６２のレール部６３のスライド面６４上で長手方向ｂに変更可能であるため、ＰＶモジュール６の大きさに対応させながらＰＶモジュール６をショートスライドベース６２に固定することができる。
【００７６】
また、スライド孔６５ａ，６５ｂを拡幅部６６を有するかなづち状としたことで、以下で詳述するようにショートスライドベース６２への端部止め具４や中間止め具５の固定が容易になり、作業者の屋根上での作業時間を短縮できるため、作業者の安全を図ることができる。
【００７７】
尚、本実施形態に係る取付構造１で使用するショートスライドベース６２のスライド孔６５ａ，６５ｂの拡幅部６６は略正方形状であるが、ある一定の幅があれば円形や多角形であってもよい。また、拡幅部６６の位置は、スライド孔６５の前方ｂ１の端部や後方ｂ２の端部に形成されているが、それ以外の場所に形成されていてもよい。
【００７８】
但し、上記のロングスライドベース３の場合と同様に、ショートスライドベース６２への端部止め具４や中間止め具５の固定を容易にするため、左右のレール部６３のスライド面６４に形成されたスライド孔６５ａのそれぞれの拡幅部６６の位置、及びスライド孔６５ｂのそれぞれの拡幅部６６の位置は揃えることが望ましい。
【００７９】
また、スライド孔６５ａ，６５ｂはスライド面６４の中央付近でつながり、一つのスライド孔として形成されていてもよい。また、ロングスライドベース３のように、端部止め具４や中間止め具５がレール部６３のスライド面６４上の全域に亘って移動可能とすべく、スライド面６４のほぼ全長に亘って延びるスライド孔６５ａ，６５ｂが形成されていてもよい。
【００８０】
ショートスライドベース６２の左右のレール部６３の前方ｂ１の先端部には、屋根材１０３の係止部１０５に被せて係止させるための返し部６８が設けられている。この返し部６８は、レール部６３のスライド面６４の先端部から垂下するとともに後方ｂ２へ向けて水平に折り曲げられ側面視略Ｌ字状に形成されている。
【００８１】
また、左右のレール部６３，６３の間には、お互いのレール部６３を連結する連結板６９が設けられている。この連結板６９は平らであり、その後方ｂ２の端部付近に横長略楕円形状の固定孔７０が形成されている。この固定孔７０は連結板６９の長手方向ｂに伸びるように形成されているため、ショートスライドベース６２の架台２への固定が可能となっている。
【００８２】
具体的には、図６に示すように、架台２の突出部１３の載置面１２にショートスライドベース６２の連結板６９を載置し、連結板６９の固定孔７０から架台２の突出部１３のネジ孔１４が見えるようにショートスライドベース６２の位置を調整する。そして、ショートスライドベース６２の固定孔７０に座金３０を介してボルト２９を挿通し、架台２のネジ孔１４に螺合することで、架台２にショートライドベース６２を固定することができる。
【００８３】
また、固定孔７０はショートスライドベース６２の長手方向ｂに延びるように形成されているため、架台２の位置の変化に対応可能となっている。つまり、図６に示すように、第二段目（第一段目の上段）のＰＶモジュール６−２を設置する第四段目の屋根材１０３−４の係止部１０５−４とその屋根材１０３−４のハゼ部１０４−４に設置した架台２との間隔は、屋根材１０３の働き幅の長さによって変化するが、本発明に係る取付構造１によれば、その変化に対応してショートスライドベース６２を架台２に固定することができ、ひいてはＰＶモジュール６の設置が可能となる。
【００８４】
尚、上記のようにショートスライドベース６２の各構成要素ついては、ロングスライドベース３の各構成要素とほぼ同じであるため、端部止め具４や中間止め具５のショートスライドべース６２への固定方法も、上記の端部止め具４や中間止め具５のロングスライドベース３への固定方法とほぼ同様である。
【００８５】
ここでは、中間止め具５のショートスライドベース６２への具体的な固定方法を説明すると、まず事前に中間止め具５の二つの長孔５１に座金３９を介してネジ３６を挿通し、そのネジ３６に楕円形のフランジ部３８ａを有するフランジナット３８を緩く螺合させておく。
【００８６】
次に、ショートスライドベース６２のスライド面６４の後方ｂ２側に形成されたスライド孔６５ｂに、中間止め具５に連結されたフランジナット３８をくぐらせる作業を行う。まず、ショートスライドベース６２の後方ｂ２の端部付近のスライド面６４と中間止め具５の第一平面部４８の裏面５２とを対峙させつつ、中間止め具５の長さ方向Ｄ２をショートスライドベース６２の長手方向ｂと同じ方向に向ける。
【００８７】
そして、中間止め具５の第一平面部４８とフランジナット３８のフランジ部３８ａの間隔をできるだけ広く保ち、左右のスライド面６４スライド孔６５ｂの拡幅部６６にフランジナット３８を同時にくぐらせる。
【００８８】
このとき、略正方形状の拡幅部６６の一辺は、フランジナット３８のフランジ部３８ａの短軸の長さよりも長いが長軸の長さよりも短く設定されている。そのため、上記端部止め具４をロングスライドベース３に固定する場合と同様に、フランジ部３８ａの長軸をショートスライドベース６２のレール部６３の長手方向ｂに向け、拡幅部６６に対してフランジ部３８ａを傾斜させてフランジ部３８ａの長軸方向の端部から拡幅部６６に挿入する。そして、ネジ３６をネジ孔６５ｂの前方ｂ１へスライドさせることで、フランジ部３８ａ（フランジナット３８）を拡幅部６６に完全にくぐらせることができる。
【００８９】
フランジナット３８をくぐらせた後は、中間止め具５がショートスライドベース６２のスライド面６４上をスライド可能な状態となる。具体的には、スライド面６４の後方ｂ２の端部付近から中央付近まで中間止め具５をスライドさせることができる。
【００９０】
そして、中間止め具５をショートスライドベース６２のスライド面６４の所望の位置まで移動させ、ネジ３６をきつく締めて中間止め具５の第一平面部４８とフランジナット３８のフランジ部３８ａでスライド面６４をしっかりと挟み込むことで、ショートスライドベース６２に中間止め具５を固定する。
【００９１】
尚、フランジナット３８に螺合したネジ３６をきつく締めるときに、ネジ３６を回すとフランジナット３８も同じ方向に回転しようとするが、フランジナット３８のフランジ部３８ａの長軸の長さがショートスライドベース６２のレール部６３の幅ｗよりも長いため、フランジナット３８の回転がレール部６３の側面部７２によって遮られる。そのため、ネジ３６を回すだけでネジ３６をきつく締めることが可能となっている。
【００９２】
また、スライド孔６５ｂの拡幅部６６の位置でネジ３６をきつく締める場合であっても、中間止め具５の第一平面部４８とフランジナット３８のフランジ部３８ａとの間に、略正方形状の拡幅部６６の周辺のスライド面６４をもぐり込ませて挟むことが可能であるため、問題なくショートスライドベース６２に中間止め具５を固定することができる。
【００９３】
上記のように、フランジ部３８ａを有するフランジナット３８をスライド孔６５ｂに挿入することができるとともに、ネジ３６を回すだけでネジ３６をきつく締めることができる構造であるため、ショートスライドベース６２への中間止め具５の設置及び固定が容易になり、従来のＰＶモジュール６の取付構造よりも容易にＰＶモジュール６を屋根材１０３上に設置することができる。また、作業者の屋根上での作業時間を短縮できるため、作業者の安全を図ることができる。
【００９４】
また、上記のようにショートスライドベース６２に中間止め具５を固定することで、図６に示すように、レール部６３のスライド面６４と、中間止め具５の垂直面部４９及び第二平面部５０により形成される係止部５３とによって、ＰＶモジュール６の長辺９の縁部９ａを挿入するための係止溝７１ａ，７１ｂが形成される。
【００９５】
次に、本発明に係る取付構造１の施工手順について、図４、図６ないし図１０に基づいて説明する。まず、ロングスライドベース３を用いて屋根材１０３上に第一段目（最も軒側）のＰＶモジュール６−１を設置する。その設置は、第一段目（ＰＶモジュール６を設置する最も軒側）の屋根材１０３−１及び第二段目（第一段目の上段）の屋根材１０３−２の設置と同時に行う。
【００９６】
まず、第一段目の屋根材１０３−１を屋根１０１の桁行方向Ｅに葺く。その後、図６及び図８に示すように、第一段目のＰＶモジュール６−１を設置する屋根材１０３−１のハゼ部１０４−１に架台２の係止部１５を被せて係止させながら架台２を設置する。そして、ネジ孔１９を介してネジ２０により架台２を屋根下地１０２上に固定する。このようにして、図１０に示すように、屋根１０１の桁行方向Ｅに複数の架台２を設置する。
【００９７】
次に、第一段目の屋根材１０３−１の上段に第二段目の屋根材１０３ー２を屋根１０１の桁行方向Ｅに葺く。このとき、第一段目の屋根材１０３−１のハゼ部１０４−１に設置した架台２の係止部１５は、図６及び図８に示すように、第二段目の屋根材１０３−２の係止部１０５ー２が被せられるとともにに、その係止部１０５−２と係止する。
【００９８】
そして、第二段目の屋根材１０３−２のハゼ部１０４−２にも架台２の係止部１５を被せて係止させながら複数の架台２を設置する。このとき、第二段目の屋根材１０３−２のハゼ部１０４−２に設置する架台２が、第一段目の屋根材１０３−１のハゼ部１０４−１に設置した架台２と屋根１０１の軒棟方向（傾斜方向）Ｆになるべく一列に並ぶように設置し、ネジ孔１９を介してネジ２０により架台２を屋根下地１０２上に固定する。
【００９９】
次に、ロングスライドベース３を架台２に固定する。具体的には、図４及び図６に示すように、軒棟方向Ｆに一列に並んだ二つの架台２の突出部１３の載置面１２上にロングスライドベース３の連結板２６を載置し、架台２の突出部１３のネジ孔１４とロングスライドベース３の固定孔２８の位置を合わせ、座金３０を介して固定孔２８にボルト２９を挿通し、ボルト２９をネジ孔１４に螺合することで固定する。このとき、図６及び図７に示すように、第一段目の屋根材１０３−１の係止部１０５−１に、ロングスライドベース３の返し部２５を被せて係止させながら載置する。
【０１００】
そして、上記のように端部止め具４の二つの長孔３５に座金３９を介してネジ３６を挿通し、そのネジ３６にフランジナット３８を緩く螺合した端部止め具４を、設置したロングスライドベース３の数だけ用意する。そして、全てのロングスライドベース３における左右のスライド面２２の前方Ｂ１側に形成されたスライド孔２３ａの拡幅部２４に、端部止め具４に連結されたフランジナット３８をくぐらせる作業を行う。
【０１０１】
そして、図６及び図７に示すように、端部止め具４の第一垂直面部３１がロングスライドベース３の返し部２５に当接する位置まで移動させネジ３６をきつく締めることで、第一平面部３２とフランジナット３８のフランジ部３８ａでロングスライドベース３のスライド面２２をしっかりと挟み込み固定する。こうして、全てのロングスライドベース３に端部止め具４を固定する。
【０１０２】
次に、二つのロングスライドベース３の前方Ｂ１に固定された端部止め具４の係止部４２とスライド面２２によって形成されている係止溝４３に第一段目のＰＶモジュール６−１の下段の長辺９の縁部９ａを挿入して支持させる。このとき、縁部９ａが端部止め具４の係止部４２の裏面４４に設けられた保護部材４５に当接するように奥まで挿入する。そして、第一段目のＰＶモジュール６−１を二つのロングスライドベース３の左右のスライド面２２上に載置する。
【０１０３】
次に、上記のように中間止め具５の二つの長孔５１に座金３９を介してネジ３６を挿通し、そのネジ３６にフランジナット３８を緩く螺合した中間止め具５を、設置したロングスライドベース３の数だけ用意する。そして、全てのロングスライドベース３における左右のスライド面２２の後方Ｂ２側に形成されたスライド孔２３ｂの拡幅部２４に、中間止め具５に連結されたフランジナット３８をくぐらせる作業を行う。
【０１０４】
そして、二つの中間止め具５をスライド面２２の前方Ｂ１にスライドさせて、図６及び図９に示すように、第一段目のＰＶモジュール６−１の上段の長辺９の縁部９ａを中間止め具５の係止部５３とスライド面２２によって形成されている係止溝５４ａに挿入して支持させる。このとき、縁部９ａが中間止め具５の係止部５３裏面５５に設けられた保護部材５６に当接するように奥まで挿入する。
【０１０５】
そして、中間止め具５のネジ３６をきつく締めることで第一平面部４８とフランジナット３８のフランジ部３８ａでスライド面２２をしっかりと挟み込み固定する。こうして、全てのロングスライドベース３に中間止め具５を固定することで、ロングスライドベース３に第一段目のＰＶモジュール６−１を固定することができ、第一段目のＰＶモジュール６−１の屋根材１０３−１，１０３−２上への設置が終了する。
【０１０６】
尚、本実施形態では、図１０に示すように、第一段目のＰＶモジュール６−１の上下段の長辺９の縁部９ａを二つの端部止め具４及び中間止め具５で固定しているが、三つ以上の端部止め具４及び中間止め具５で固定するようにしてもよい。
【０１０７】
次に、ショートスライドベース６２を用いて屋根材１０３上に第二段目（第一段目の上段）のＰＶモジュール６−２を設置する。その設置は、第三段目の屋根材１０３−３及び第四段目の屋根材１０３−４の設置と同時に行う。
【０１０８】
まず、第三段目の屋根材１０３−３及び第四段目の屋根材１０３−４を屋根１０１の桁行方向Ｅに葺く。このとき、第二段目の屋根材１０３−２のハゼ部１０４−２に設置した架台２の係止部１５は、図６及び図９に示すように、第三段目の屋根材１０３−３の係止部１０５−３が被せられるとともに、その係止部１０５−３と係止する。
【０１０９】
その後、第四段目の屋根材１０３−４のハゼ部１０４−４に、架台２の係止部１５を被せて係止させながら架台２を設置する。そして、ネジ孔１９を介してネジ２０により架台２を屋根下地１０２上に固定する。このようにして、図１０に示すように、屋根１０１の桁行方向Ｅに複数の架台２を設置する。
【０１１０】
このとき、第四段目の屋根材１０３−４のハゼ部１０４−４に設置する架台２が、第一段目の屋根材１０３−１のハゼ部１０４−１や第二段目の屋根材１０３−２のハゼ部１０４−２に設置した架台２と屋根１０１の軒棟方向（傾斜方向）Ｆになるべく一列に並ぶように設置する。
【０１１１】
次に、ショートスライドベース６２を架台２に固定する。具体的には、図６に示すように、架台２の突出部１３の載置面１２上にショートスライドベース６２の連結板６９を載置し、架台２の突出部１３のネジ孔１４とショートスライドベース６２の固定孔７０の位置を合わせ、座金３０を介して固定孔７０にボルト２９を挿通し、ボルト２９をネジ孔１４に螺合することで固定する。このとき、第四段目の屋根材１０３−４の係止部１０５−４に、ショートスライドベース６２の返し部６８を被せて係止させながら載置する。
【０１１２】
そして、上記のように中間止め具５の二つの長孔５１に座金３９を介してネジ３６を挿入し、そのネジ３６にフランジナット３８を緩く螺合した中間止め具５を、設置したショートスライドベース６２の数だけ用意する。そして、全てのショートスライドベース６２における左右のスライド面６４の後方ｂ２側に形成されたスライド孔６５ｂの拡幅部６６に、中間止め具５に連結されたフランジナット３８をくぐらせる作業を行う。
【０１１３】
そして、図６及び図９に示すように、既に設置された二つのロングスライドベース３のスライド孔２３ｂに固定されている中間止め具５の係止部５３とスライド面２２によって形成されている係止溝５４ｂに、第二段目のＰＶモジュール６−２の下段の長辺９の縁部９ａを挿入して支持させる。このとき、縁部９ａが中間止め具５の保護部材５６に当接するように奧まで挿入する。そして、第二段目のＰＶモジュール６−２を二つのロングスライドベース３の左右のスライド面２２上及び二つのショートスライドベース６２の左右のスライド面６４上に載置する。
【０１１４】
そして、ショートスライドベース６２のスライド孔６５ｂに設置した二つの中間止め具５をスライド面６４の前方ｂ１にスライドさせて、図６に示すように、第二段目のＰＶモジュール６−２の上段の長辺９の縁部９ａを中間止め具５とスライド面６４によって形成されている係止溝７１ａに挿入して支持させる。このとき、縁部９ａが中間止め具５の係止部５３の保護部材５６に当接するように奥まで挿入する。
【０１１５】
そして、中間止め具５のネジ３６をきつく締めることで第一平面部４８とフランジナット３８のフランジ部３８ａでスライド面６４をしっかりと挟み込み固定する。こうして、全てのショートスライドベース６２に中間止め具５を固定することで、ロングスライドベース３及びショートスライドベース６２に第二段目のＰＶモジュール６−２を固定することができ、第二段目のＰＶモジュール６−２の屋根材１０３−３，１０３−４上への設置が終了する。尚、本実施形態では、図１０に示すように、第二段目のＰＶモジュール６−２の上段の長辺９の縁部９ａを二つの中間止め具５で固定しているが、三つ以上の中間止め具５で固定するようにしてもよい。
【０１１６】
もし、第二段目のＰＶモジュール６−２の上段の長辺９の縁部９ａの位置が、ショートスライドベース６２のスライド孔６５ｂに設置した中間止め具５の支持可能範囲内に無い場合、つまり第二段目のＰＶモジュール６−２の上段の長辺９の縁部９ａの位置がショートスライドベース６２のスライド面６４の前方ｂ１すぎてスライド孔６５ｂに設置した中間止め具５の係止部５３とスライド面６４によって形成されている係止溝７１ａで支持できない場合には、スライド孔６５ｂから中間止め具５を外してスライド孔６５ａに設置し直し、再度ショートスライドベース６２の中間止め具５をスライド面６４の前方ｂ１にスライドさせて、第二段目のＰＶモジュール６−２の上段の長辺９の縁部９ａを係止溝７１ａに挿入する作業を行う。
【０１１７】
尚、ショートスライドベース６２を用いて屋根材１０３上に第三段目以降のＰＶモジュール６を設置する場合には、上記のように屋根材１０３を屋根１０１の桁行方向Ｅに葺きながら架台２を設置する。そして、ショートスライドベース６２をその架台２に固定し、そのショートスライドベース６２のスライド孔６５ａ，６５ｂのいずれかに端部止め具４または中間止め具５を設置する。
【０１１８】
そして、既に設置されている下段に位置するロングスライドベース３に固定された中間止め具５の係止部５３とスライド面２２によって形成される係止溝５４ｂ、またはショートスライドベース６２に固定された中間止め具５の係止部５３とスライド面６４によって形成される係止溝７１ｂに、ＰＶモジュール６の下段の長辺９の縁部９ａを挿入して支持させるとともに、新たに設置するショートスライドベース６２に固定される端部止め具４の係止部４２または中間止め具５の係止部５３とスライド面６４によって形成される係止溝にＰＶモジュール６の上段の長辺９の縁部９ａを挿入して支持させる。そして、ショートスライドベース６２に端部止め具４または中間止め具５を固定することでＰＶモジュール６の屋根材１０３上への設置が終了する。
【０１１９】
一方、本実施形態のようにショートスライドベース６２を用いてではなくロングスライドベース３を用いて屋根材１０３上に第二段目以降のＰＶモジュール６を設置する場合には、以下のような手順で作業を行う。まず、上記のように屋根材１０３を屋根１０１の桁行方向Ｅに葺きながら架台２を設置する。そして、ロングスライドベース３を架台２に固定し、そのスライド孔２３ａ，２３ｂのいずれかに端部止め具４または中間止め具５を設置する。
【０１２０】
そして、既に設置されている下段に位置するロングスライドベース３に固定された中間止め具５の係止部５３とスライド面２２によって形成される係止溝５４ｂ、またはショートスライドベース６２に固定された中間止め具５の係止部５３とスライド面６４によって形成される係止溝７１ｂに、ＰＶモジュール６の下段の長辺９の縁部９ａを挿入して支持させるとともに、新たに設置するロングスライドベース３に固定される端部止め具４の係止部４２または中間止め具５の係止部５３とスライド面６４によって形成される係止溝４３，５４ａにＰＶモジュール６の上段の長辺９の縁部９ａを挿入して支持させる。そして、ロングスライドベース３に端部止め具４または中間止め具５を固定することでＰＶモジュール６の屋根材１０３上への設置が終了する。
【０１２１】
尚、上記のように、ＰＶモジュール６を屋根１０１の軒棟方向Ｆに連続して設置する場合には、屋根材１０３の働き幅やＰＶモジュール６の大きさ等を考慮して、上記ロングスライドベース３を用いた設置方法とショートスライドベース６２を用いた設置方法のどちらが適しているかを適宜選択して施工する。また、本実施形態では、一番軒側にロングスライドベース３を設置して屋根材１０３上に第一段目（最も軒側）のＰＶモジュール６−１を設置しているが、一番軒側にショートスライドベース６２を設置して屋根材１０３上に第一段目のＰＶモジュール６−１を設置してもよい。
【符号の説明】
【０１２２】
１      取付構造                    ４３    係止溝
２      架台                        ４４    裏面
３      ロングスライドベース        ４５    保護部材
４      端部止め具                  ４６    突出部
５      中間止め具                  ４８    第一平面部
６      ＰＶモジュール              ４９    垂直面部
１２    載置面                      ５０    第二平面部
１３    突出部                      ５１    長孔
１４    ネジ孔                      ５２    裏面
１５    係止部                      ５３    係止部
１６    傾斜面                      ５４    係止溝
１８    固定面                      ５５    裏面
１９    ネジ孔                      ５６    保護部材
２０    ネジ                        ５８    突出部
２１    レール部                    ６２    ショートスライドベース
２２    スライド面                  ６３    レール部
２３    スライド孔                  ６４    スライド面
２４    拡幅部                      ６５    スライド孔
２５    返し部                      ６６    拡幅部
２６    連結板                      ６８    返し部
２８    固定孔                      ６９    連結板
２９    ボルト                      ７０    固定孔
３０    座金                        ７１    係止溝
３１    第一垂直面部                ７２    側面部
３２    第一平面部                  １０１  屋根
３３    第二垂直面部                １０２  屋根下地
３４    第二平面部                  １０３  横葺き屋根材
３５    長孔                        １０４  ハゼ部
３６    ネジ                        １０５  係止部
３８    フランジナット
３９    座金
４０    裏面
４１    側面部
４２    係止部